(57)【要約】【課題】電子ペーパの相互の位置関係に応じて、複数の電子ペーパが表示すべきデータを決定して、複数の電子ペーパのそれぞれに表示させる。【解決手段】本発明に係る表示システムは、データを表示する表示部、および照射される光量を検出する光量検出部をそれぞれ有する複数の電子ペーパと、複数の電子ペーパがそれぞれ有する光量検出部が検出した光量から、複数の電子ペーパの相互の位置関係を判断する位置関係判断部と、位置関係判断部が判断した複数の電子ペーパの相互の位置関係に応じて、複数の電子ペーパのそれぞれに対して、複数の電子ペーパがそれぞれ有する表示部に表示させるべきデータを送信するデータ送信部とを備える。【選択図】図２
2008090269.tif 000002
【特許請求の範囲】
【請求項１】
データを表示する表示部、および、
位置関係を判断するための位置情報を検出する位置情報検出部、
をそれぞれ有する複数の電子ペーパと、
前記複数の電子ペーパがそれぞれ有する前記位置情報検出部が検出した前記位置情報から、前記複数の電子ペーパの相互の位置関係を判断する位置関係判断部と、
前記位置関係判断部が判断した前記複数の電子ペーパの相互の位置関係に応じて、前記複数の電子ペーパのそれぞれに対して、前記複数の電子ペーパがそれぞれ有する前記表示部に表示させるべきデータを送信するデータ送信部と、
を備える表示システム。
【請求項２】
前記位置情報検出部は、照射される電磁波の強度を検出する電磁波強度検出部を有し、
前記位置関係判断部は、前記複数の電子ペーパがそれぞれ有する前記電磁波強度検出部が検出した強度から、前記複数の電子ペーパの相互の位置関係を判断する、
請求項１に記載の表示システム。
【請求項３】
前記位置関係判断部は、前記複数の電子ペーパがそれぞれ有する前記電磁波強度検出部が検出した強度の順で前記複数の電子ペーパが重なっていると判断し、
前記データ送信部は、前記位置関係判断部が判断した前記複数の電子ペーパが重なっている順に、前記複数の電子ペーパのそれぞれに対して、前記複数の電子ペーパがそれぞれ有する前記表示部に表示させるべきデータを送信する
請求項２に記載の表示システム。
【請求項４】
前記データ送信部が前記複数の電子ペーパのそれぞれの前記表示部に表示させるべきデータを送信した後に、前記複数の電子ペーパのそれぞれを離散して配置した場合、
前記表示システムは、前記複数の電子ペーパのそれぞれの前記表示部における表示を保持する、
請求項３に記載の表示システム。
【請求項５】
前記位置関係判断部は、予め定められた強度以上を検出した前記電磁波強度検出部を有する前記電子ペーパがユーザから視認可能な位置に存在すると判断し、
前記データ送信部は、前記位置関係判断部がユーザから視認可能な位置に存在すると判断した電子ペーパに対して、前記電子ペーパが有する前記表示部に表示させるべきデータを送信する
請求項２に記載の表示システム。
【請求項６】
前記位置関係判断部は、予め定められた強度以上を検出した前記電磁波強度検出部を有する前記電子ペーパがユーザから視認可能な位置に存在すると判断し、
前記表示システムは、
前記位置関係判断部がユーザから視認可能な位置に存在すると判断した前記電子ペーパが有する前記表示部に表示されているデータの内容の編集を許可するデータ編集制御部
をさらに備える請求項２に記載の表示システム。
【請求項７】
前記位置関係判断部は、最も多い強度を検出した前記電磁波強度検出部を有する前記電子ペーパがユーザから視認可能な位置に存在すると判断し、
前記データ送信部は、前記位置関係判断部がユーザから視認可能な位置に存在すると判断した電子ペーパに対して、前記電子ペーパが有する前記表示部に表示させるべきデータを送信する
請求項２に記載の表示システム。
【請求項８】
前記位置関係判断部は、最も大きい強度を検出した前記電磁波強度検出部を有する前記電子ペーパがユーザから視認可能な位置に存在すると判断し、
前記表示システムは、
前記位置関係判断部がユーザから視認可能な位置に存在すると判断した前記電子ペーパが有する前記表示部に表示されているデータの内容の編集を許可するデータ編集制御部
をさらに備える請求項２に記載の表示システム。
【請求項９】
前記電子ペーパは、
前記表示部が表示しているデータを識別するデータ識別子を格納するデータ識別子格納部、
をさらに有し、
前記表示システムは、
複数のデータ識別子のそれぞれに対応づけて、当該データ識別子で識別されるデータの表示順序を格納する表示順序格納部、
をさらに備え、
前記位置関係判断部は、前記複数の電子ペーパがそれぞれ有する前記電磁波強度検出部が検出した強度の順で前記複数の電子ペーパが重なっていると判断し、
前記データ送信部は、前記表示順序格納部が格納しているデータの表示順序と、前記位置関係判断部が判断した前記複数の電子ペーパの重なっている順とを一致させるべく、前記複数の電子ペーパのそれぞれに対して、複数の前記データ識別子格納部のいずれかが格納しているデータ識別子で識別されるデータのそれぞれを送信する
請求項２に記載の表示システム。
【請求項１０】
前記電磁波強度検出部は、
前記電子ペーパの予め定められた複数の位置にそれぞれ配置された複数の電磁波検出センサ、
を含み、
前記位置関係判断部は、前記複数の電子ペーパがそれぞれ有する前記複数の電磁波検出センサがそれぞれ検出した電磁波の強度から、前記複数の電子ペーパの相互の位置関係を判断する
請求項２に記載の表示システム。
【請求項１１】
前記複数の電磁波検出センサは、前記電子ペーパの複数の辺または複数の隅のそれぞれの近傍に配置される
請求項１０に記載の表示システム。
【請求項１２】
前記位置関係判断部は、前記複数の電子ペーパがそれぞれ有する前記複数の電磁波検出センサのうち、予め定められた値以上の電磁波の強度を検出した前記電磁波検出センサの数が多い順に、前記複数の電子ペーパが重なっていると判断する
請求項１０に記載の表示システム。
【請求項１３】
予め定められた範囲に磁界を発生して前記電子ペーパに電力を給電する給電装置、
をさらに備え、
前記電子ペーパは、
前記給電装置が発生した磁界から電力を受電する受電部、
をさらに有し、
前記電磁波強度検出部は、前記受電部が電力を受電した場合に、受電した電力を用いて電磁波の強度を検出する
請求項２に記載の表示システム。
【請求項１４】
前記位置関係判断部は、予め定められた強度以上を検出した前記電磁波強度検出部を有する前記電子ペーパがユーザから視認可能な位置に存在すると判断し、
前記表示システムは、
前記位置関係判断部がユーザから視認可能な位置に存在すると判断した前記電子ペーパの位置を特定する位置特定部、
をさらに備え、
前記給電装置は、
前記電子ペーパが載置されるべき範囲に所定間隔で配置された複数の給電部と、
前記位置特定部が特定した位置に配置された前記給電部に磁界を発生させて、前記位置関係判断部がユーザから視認可能な位置に存在すると判断した前記電子ペーパに電力を給電させる給電制御部と
を有する請求項１３に記載の表示システム。
【請求項１５】
前記位置関係判断部は、最も大きい強度を検出した前記電磁波強度検出部を有する前記電子ペーパがユーザから視認可能な位置に存在すると判断し、
前記表示システムは、
前記位置関係判断部がユーザから視認可能な位置に存在すると判断した前記電子ペーパの位置を特定する位置特定部、
をさらに備え、
前記給電装置は、
前記電子ペーパが載置されるべき範囲に所定間隔で配置された複数の給電部と、
前記位置特定部が特定した位置に配置された前記給電部に磁界を発生させて、前記位置関係判断部がユーザから視認可能な位置に存在すると判断した前記電子ペーパに電力を給電させる給電制御部と
を有する請求項１３に記載の表示システム。
【請求項１６】
前記位置情報検出部は、自己の識別情報を伝送する通信光を前記表示部の裏面から発光する発光部、および、自己以外の識別情報を伝送する通信光を前記表示部の表面から受光する受光部、を有し、
前記位置関係判断部は、前記複数の電子ペーパがそれぞれ有する前記受光部で受光した前記通信光で伝送される前記識別情報から、前記複数の電子ペーパの相互の位置関係を判断する、
請求項１に記載の表示システム。
【請求項１７】
前記発光部は、自己の識別情報に加えて、自己が認識している自己より上に位置する電子ペーパの識別情報を伝送する通信光を前記表示部の裏面から発光し、
前記位置関係判断部は、前記複数の電子ペーパがそれぞれ有する前記受光部が受光した前記通信光が伝送する自己より上に位置する電子ペーパの前記識別情報から前記複数の電子ペーパの相互の重なり位置を判断し、
前記データ送信部は、前記位置関係判断部が判断した前記複数の電子ペーパの重なり位置の順に、前記複数の電子ペーパのそれぞれに対して、前記複数の電子ペーパがそれぞれ有する前記表示部に表示させるべきデータを送信する、
請求項１６に記載の表示システム。
【請求項１８】
前記データ送信部が前記複数の電子ペーパのそれぞれの前記表示部に表示させるべきデータを送信した後に、前記複数の電子ペーパのそれぞれを離散して配置した場合、
前記表示システムは、前記複数の電子ペーパのそれぞれの前記表示部における表示を保持する、
請求項１７に記載の表示システム。
【請求項１９】
前記位置関係判断部は、前記受光部が前記通信光を受光しなかった場合、または、前記受光部が受光した前記通信光が伝送する自己より上に位置する電子ペーパの前記識別情報を判別できなかった場合に、前記受光部を有する前記電子ペーパがユーザから視認可能な位置に存在すると判断し、
前記データ送信部は、前記位置関係判断部がユーザから視認可能な位置に存在すると判断した電子ペーパに対して、前記電子ペーパが有する前記表示部に表示させるべきデータを送信する、
請求項１６に記載の表示システム。
【請求項２０】
前記位置関係判断部は、前記受光部が前記通信光を受光しなかった場合、または、前記受光部が受光した前記通信光が伝送する自己より上に位置する電子ペーパの前記識別情報を判別できなかった場合に、前記受光部を有する前記電子ペーパがユーザから視認可能な位置に存在すると判断し、
前記表示システムは、
前記位置関係判断部がユーザから視認可能な位置に存在すると判断した前記電子ペーパが有する前記表示部に表示されているデータの内容の編集を許可するデータ編集制御部、
をさらに備える請求項１６に記載の表示システム。
【請求項２１】
前記電子ペーパは、
前記表示部が表示しているデータを識別するデータ識別子を格納するデータ識別子格納部、
をさらに有し、
前記表示システムは、
複数のデータ識別子のそれぞれに対応づけて、当該データ識別子で識別されるデータの表示順序を格納する表示順序格納部、
をさらに備え、
前記位置関係判断部は、前記複数の電子ペーパがそれぞれ有する前記受光部が受光した前記通信光が伝送する自己より上に位置する電子ペーパの前記識別情報から前記複数の電子ペーパの相互の重なり位置を判断し、
前記データ送信部は、前記表示順序格納部が格納しているデータの表示順序と、前記位置関係判断部が判断した前記複数の電子ペーパの重なり位置の順とを一致させるべく、前記複数の電子ペーパのそれぞれに対して、複数の前記データ識別子格納部のいずれかが格納しているデータ識別子で識別されるデータのそれぞれを送信する、
請求項１６に記載の表示システム。
【請求項２２】
予め定められた範囲に磁界を発生して前記電子ペーパに電力を給電する給電装置、
をさらに備え、
前記電子ペーパは、
前記給電装置が発生した磁界から電力を受電する受電部、
をさらに有し、
前記発光部および受光部は、前記受電部が電力を受電した場合に、受電した電力を用いて前記通信光を発光および受光する、
請求項１６に記載の表示システム。
【請求項２３】
前記位置関係判断部は、前記受光部が前記通信光を受光しなかった場合、または、前記受光部が受光した前記通信光が伝送する自己より上に位置する電子ペーパの前記識別情報を判別できなかった場合に、前記受光部を有する前記電子ペーパがユーザから視認可能な位置に存在すると判断し、
前記表示システムは、
前記位置関係判断部がユーザから視認可能な位置に存在すると判断した前記電子ペーパの位置を特定する位置特定部、
をさらに備え、
前記給電装置は、
前記電子ペーパが載置されるべき範囲に所定間隔で配置された複数の給電部と、
前記位置特定部が特定した位置に配置された前記給電部に磁界を発生させて、前記位置関係判断部がユーザから視認可能な位置に存在すると判断した前記電子ペーパに電力を給電させる給電制御部と、
を有する請求項２２に記載の表示システム。
【請求項２４】
複数の電子ペーパがそれぞれ有する表示部がデータをそれぞれ表示する表示段階と、
前記複数の電子ペーパが有する位置情報検出部が位置情報をそれぞれ検出する位置情報検出段階と、
前記位置情報検出段階において前記複数の電子ペーパについてそれぞれ検出された位置情報から、前記複数の電子ペーパの相互の位置関係を判断する位置関係判断段階と、
前記位置関係判断段階において判断された前記複数の電子ペーパの相互の位置関係に応じて、前記複数の電子ペーパのそれぞれに対して、前記複数の電子ペーパがそれぞれ有する前記表示部に表示させるべきデータを送信するデータ送信段階と
を備える表示方法。
【請求項２５】
データを表示する複数の電子ペーパを備える表示システム用の表示プログラムであって、前記表示システムを、
前記複数の電子ペーパが有する位置情報検出部が位置情報を検出する位置情報検出部、
前記複数の電子ペーパがそれぞれ有する前記位置情報検出部が検出した位置情報から、前記複数の電子ペーパの相互の位置関係を判断する位置関係判断部、
前記位置関係判断部が判断した前記複数の電子ペーパの相互の位置関係に応じて、前記複数の電子ペーパのそれぞれに対して、前記複数の電子ペーパがそれぞれ有する表示部に表示させるべきデータを送信するデータ送信部、
として機能させる表示プログラム。
【発明の詳細な説明】
【技術分野】
【０００１】
本発明は、表示システム、表示方法、および表示プログラムに関する。特に、本発明は、複数の電子ペーパの位置関係を判断して電子ペーパにデータを表示させる表示システム、表示方法、および表示プログラムに関する。
【背景技術】
【０００２】
複数の給電コイルを設けた給電装置上の任意の場所に受電側の機器（ＰＤＡ等）をおいて、給電コイルから受電側の機器へ、非接触で電力を供給する電力供給装置について提案されている（例えば、特許文献１参照。）。具体的には、給電装置は、複数の給電コイルを順次選択して通電する。そして、受電機器の受電コイルは、給電コイルが発生する電磁波を受けて誘電起電力を発生する。続いて、受電機器は、発生した誘電起電力を用いて、給電装置に受電機器のＩＤを送信する。これにより給電装置は受電機器の位置を確認して、電力を供給する。
【０００３】
また、複数の一次コイルを備える充電シートに携帯電話を設置して、設置された携帯電話の仕様に応じて一次コイルの発信周波数が自動的に設定される、無接点充電システムについて提案されている（例えば、特許文献２参照。）。具体的には、一次コイルに印加する交流電圧の周波数を漸増させて、携帯電話の充電が開始されたことが検出されたときに、発信周波数を固定する。
【特許文献１】特開２００３−２２４９３７号公報
【特許文献２】特開２００５−６４４０号公報
【発明の開示】
【発明が解決しようとする課題】
【０００４】
しかしながら、特許文献１および特許文献２に記載の発明においては、受電側の機器が複数存在する場合には、いずれの受電機器に電力を給電すべきか判断することが困難な場合がある。また、特許文献１および特許文献２に記載の発明においては、複数の受電側の機器が互いに重なっていた場合にも、いずれの受電機器に電力を給電すべきか判断することが困難な場合がある。
【０００５】
そこで本発明は、上記課題を解決することができる表示システム、表示方法、および表示プログラムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決することを目的として、本発明の一形態においては、表示システムであって、データを表示する表示部、および、位置関係を判断するための位置情報を検出する位置情報検出部、をそれぞれ有する複数の電子ペーパと、複数の電子ペーパがそれぞれ有する位置情報検出部が検出した位置情報から、複数の電子ペーパの相互の位置関係を判断する位置関係判断部と、位置関係判断部が判断した複数の電子ペーパの相互の位置関係に応じて、複数の電子ペーパのそれぞれに対して、複数の電子ペーパがそれぞれ有する表示部に表示させるべきデータを送信するデータ送信部と、を備える。
【０００７】
また、本発明の他の形態においては、表示システムであって、データを表示する表示部、および照射される電磁波の強度を検出する電磁波強度検出部をそれぞれ有する複数の電子ペーパと、複数の電子ペーパがそれぞれ有する電磁波強度検出部が検出した強度から、複数の電子ペーパの相互の位置関係を判断する位置関係判断部と、位置関係判断部が判断した複数の電子ペーパの相互の位置関係に応じて、複数の電子ペーパのそれぞれに対して、複数の電子ペーパがそれぞれ有する表示部に表示させるべきデータを送信するデータ送信部とを備える。
【０００８】
また、位置関係判断部は、複数の電子ペーパがそれぞれ有する電磁波強度検出部が検出した強度の順で複数の電子ペーパが重なっていると判断し、データ送信部は、位置関係判断部が判断した複数の電子ペーパが重なっている順に、複数の電子ペーパのそれぞれに対して、複数の電子ペーパがそれぞれ有する表示部に表示させるべきデータを送信してもよい。また、位置関係判断部は、予め定められた強度以上を検出した電磁波強度検出部を有する電子ペーパがユーザから視認可能な位置に存在すると判断し、データ送信部は、位置関係判断部がユーザから視認可能な位置に存在すると判断した電子ペーパに対して、電子ペーパが有する表示部に表示させるべきデータを送信してもよい。
【０００９】
さらに、位置関係判断部は、予め定められた強度以上を検出した電磁波強度検出部を有する電子ペーパがユーザから視認可能な位置に存在すると判断し、表示システムは、位置関係判断部がユーザから視認可能な位置に存在すると判断した電子ペーパが有する表示部に表示されているデータの内容の編集を許可するデータ編集制御部を備えてもよい。また、位置関係判断部は、最も大きい強度を検出した電磁波強度検出部を有する電子ペーパがユーザから視認可能な位置に存在すると判断し、データ送信部は、位置関係判断部がユーザから視認可能な位置に存在すると判断した電子ペーパに対して、電子ペーパが有する表示部に表示させるべきデータを送信しえもよい。
【００１０】
また、位置関係判断部は、最も大きい強度を検出した電磁波強度検出部を有する電子ペーパがユーザから視認可能な位置に存在すると判断し、表示システムは、位置関係判断部がユーザから視認可能な位置に存在すると判断した電子ペーパが有する表示部に表示されているデータの内容の編集を許可するデータ編集制御部をさらに備えてもよい。そして、電子ペーパは、表示部が表示しているデータを識別するデータ識別子を格納するデータ識別子格納部をさらに有し、表示システムは、複数のデータ識別子のそれぞれに対応づけて、当該データ識別子で識別されるデータの表示順序を格納する表示順序格納部をさらに備え、位置関係判断部は、複数の電子ペーパがそれぞれ有する電磁波強度検出部が検出した強度の順で複数の電子ペーパが重なっていると判断し、データ送信部は、表示順序格納部が格納しているデータの表示順序と、位置関係判断部が判断した複数の電子ペーパの重なっている順とを一致させるべく、複数の電子ペーパのそれぞれに対して、複数のデータ識別子格納部のいずれかが格納しているデータ識別子で識別されるデータのそれぞれを送信してもよい。
【００１１】
また、電磁波強度検出部は、電子ペーパの予め定められた複数の位置にそれぞれ配置された複数の電磁波検出センサを含み、位置関係判断部は、複数の電子ペーパがそれぞれ有する複数の電磁波検出センサがそれぞれ検出した強度から、複数の電子ペーパの相互の位置関係を判断してもよい。そして複数の電磁波検出センサは、電子ペーパの複数の辺または複数の隅のそれぞれの近傍に配置されてもよく、また、位置関係判断部は、複数の電子ペーパがそれぞれ有する複数の電磁波検出センサのうち、予め定められた値以上の電磁波の強度を検出した電磁波検出センサの数が多い順に、複数の電子ペーパが重なっていると判断してもよい。そして、予め定められた範囲に磁界を発生して電子ペーパに電力を給電する給電装置をさらに備え、電子ペーパは、給電装置が発生した磁界から電力を受電する受電部をさらに有し、電磁波強度検出部は、受電部が電力を受電した場合に、受電した電力を用いて電磁波の強度を検出してもよい。
【００１２】
また、位置関係判断部は、予め定められた電磁波の強度以上を検出した電磁波強度検出部を有する電子ペーパがユーザから視認可能な位置に存在すると判断し、表示システムは、位置関係判断部がユーザから視認可能な位置に存在すると判断した電子ペーパの位置を特定する位置特定部をさらに備え、給電装置は、電子ペーパが載置されるべき範囲に所定間隔で配置された複数の給電部と、位置特定部が特定した位置に配置された給電部に磁界を発生させて、位置関係判断部がユーザから視認可能な位置に存在すると判断した電子ペーパに電力を給電させる給電制御部とを有していてもよい。そして、位置関係判断部は、最も大きい強度を検出した電磁波強度検出部を有する電子ペーパがユーザから視認可能な位置に存在すると判断し、表示システムは、位置関係判断部がユーザから視認可能な位置に存在すると判断した電子ペーパの位置を特定する位置特定部をさらに備え、給電装置は、電子ペーパが載置されるべき範囲に所定間隔で配置された複数の給電部と、位置特定部が特定した位置に配置された給電部に磁界を発生させて、位置関係判断部がユーザから視認可能な位置に存在すると判断した電子ペーパに電力を給電させる給電制御部とを有していてもよい。
【００１３】
また、本発明の他の形態においては、表示方法であって、複数の電子ペーパがそれぞれ有する表示部がデータをそれぞれ表示する表示段階と、複数の電子ペーパに照射される電磁波の強度をそれぞれ検出する電磁波強度検出段階と、電磁波強度検出段階において複数の電子ペーパについてそれぞれ検出された強度から、複数の電子ペーパの相互の位置関係を判断する位置関係判断段階と、位置関係判断段階において判断された複数の電子ペーパの相互の位置関係に応じて、複数の電子ペーパのそれぞれに対して、複数の電子ペーパがそれぞれ有する表示部に表示させるべきデータを送信するデータ送信段階とを備える。
【００１４】
また、本発明の第３の形態においては、データを表示する複数の電子ペーパを備える表示システム用の表示プログラムであって、表示システムを、複数の電子ペーパに照射される電磁波の強度を検出する電磁波強度検出部、複数の電子ペーパがそれぞれ有する電磁波強度検出部が検出した電磁波の強度から、複数の電子ペーパの相互の位置関係を判断する位置関係判断部、位置関係判断部が判断した複数の電子ペーパの相互の位置関係に応じて、複数の電子ペーパのそれぞれに対して、複数の電子ペーパがそれぞれ有する表示部に表示させるべきデータを送信するデータ送信部として機能させる。
【００１５】
なお、上記の発明の概要は、本発明の必要な特徴の全てを列挙したものではなく、これらの特徴群のサブコンビネーションもまた、発明となりうる。
【発明の効果】
【００１６】
本発明によれば、複数の電子ペーパの相互の位置関係を判断して、複数の電子ペーパのうち、ユーザから視認可能な電子ペーパを判断することができる。
【発明を実施するための最良の形態】
【００１７】
以下、発明の実施の形態を通じて本発明を説明するが、以下の実施形態は特許請求の範囲に係る発明を限定するものではない。また実施形態の中で説明されている特徴の組み合わせの全てが発明の解決に必須であるとは限らない。
【００１８】
図１は、本発明の一実施形態に係る表示システム１０の概要を示す。表示システム１０は、電子ペーパ２０、情報処理装置３０、および給電装置４０を備える。なお、表示システム１０は、複数の電子ペーパ２０を備えてよい。また、情報処理装置３０は、データを表示するモニタ３０２、並びにデータの内容を変更するときにデータの変更内容をユーザが入力するキーボード３７６およびマウス３７８を有する。なお、電子ペーパ２０は、フレキシブルディスプレイ、リライタブルペーパ、ペーパライクディスプレイ、デジタルペーパ、エレクトロニックペーパ、電子シート、および電子表示シートであってもよい。
【００１９】
本実施形態に係る表示システム１０は、複数の電子ペーパの相互の位置関係を、電子ペーパに照射される電磁波の強度に基づいて判断する。そして、電子ペーパの相互の位置関係に応じて、ユーザから視認可能な電子ペーパを特定して、当該電子ペーパに表示すべきデータを表示することを目的とする。
【００２０】
例えば、データを表示する複数の電子ペーパ２０は本棚５２に収納されている。ユーザは、電子ペーパ２０を本棚５２から取り出して、机５０の上に設置された給電装置４０の上に配置する。ユーザは、複数の電子ペーパ２０を、束にして給電装置４０の上に配置してよい。また、ユーザは、複数の電子ペーパ２０を、重ねた状態で給電装置４０の上に配置してよい。給電装置４０は、複数の電子ペーパ２０のそれぞれに電力を給電する。
【００２１】
ここで、複数の電子ペーパ２０はそれぞれ、複数の光センサ２５２を有している。なお、複数の電子ペーパ２０がそれぞれ有する複数の光センサ２５２は、請求項に記載の電磁波検出センサの一例である。電磁波検出センサは、可視光を検出する。また、電磁波検出センサは、赤外光、サブミリ波、またはマイクロ波等の可視光領域の電磁波の波長とは異なる波長の電磁波を検出するセンサであってもよい。給電装置４０から電力が供給された電子ペーパ２０が有する複数の光センサ２５２は、給電された電力を用いて照射される光量を検出する。そして、複数の電子ペーパ２０はそれぞれ、光センサ２５２が検出した光量を示す情報を情報処理装置３０に送信する。
【００２２】
情報処理装置３０は、複数の電子ペーパ２０のそれぞれからアンテナ３２２を介して受信した光量から、複数の電子ペーパ２０の相互の位置関係を判断する。具体的には、複数の電子ペーパ２０が重なっているか否か、電子ペーパ２０がユーザから視認可能な位置にあるか否かを判断する。例えば、複数の電子ペーパ２０が束状に重なっている場合には、束の最も上にある電子ペーパ２０がユーザから視認可能な位置にある。この場合においては、情報処理装置３０は、束の最も上にある電子ペーパ２０がユーザから視認可能な位置にあると判断する。
【００２３】
具体的には、情報処理装置３０は、複数の電子ペーパ２０のそれぞれから受信した光量の順で、複数の電子ペーパ２０が重なっていると判断する。そして、情報処理装置３０は、最も多い光量を検出した光センサ２５２を有する電子ペーパ２０が束の最も上にあると判断して、当該電子ペーパ２０が、ユーザから視認可能な位置にあると判断する。続いて、情報処理装置３０は、ユーザから視認可能な位置にあると判断した電子ペーパ２０に、当該電子ペーパ２０が表示すべきデータを送信する。情報処理装置３０からデータを受信した電子ペーパ２０は、当該データを表示する。
【００２４】
また、複数の電子ペーパ２０はそれぞれ、表示すべきデータを識別するデータ識別子を有していてよい。複数の電子ペーパ２０は、給電装置４０から電力の供給を受けた場合に、光量と共にデータ識別子を情報処理装置３０に送信してよい。そして、情報処理装置３０は、複数の電子ペーパ２０のそれぞれから受信した光量に基づいて、複数の電子ペーパ２０の相互の位置関係を判断する。具体的には、情報処理装置３０は、複数の電子ペーパ２０が重なっている順を判断する。
【００２５】
例えば、情報処理装置３０は、複数の電子ペーパ２０のそれぞれが検出した光量が多い順に、複数の電子ペーパ２０が束の上から順に重なっていると判断する。続いて、情報処理装置３０は、複数の電子ペーパ２０が重なっている順に、複数の電子ペーパ２０のそれぞれから受信したデータ識別子で識別されるデータを送信する。すなわち、情報処理装置３０は、束状に重なっている複数の電子ペーパ２０の上から順に、電子ペーパ２０が表示すべきデータを送信する。そして、データを受信した電子ペーパ２０は、当該データを表示する。
【００２６】
また、情報処理装置３０は、ユーザから視認可能な位置に存在すると判断した電子ペーパ２０からデータ識別子を受信する。そして、情報処理装置３０は、受信したデータ識別子で識別されるデータをモニタ３０２に表示する。続いて、情報処理装置３０は、モニタ３０２に表示したデータに対して、ユーザの編集指示を受け付ける。例えば、情報処理装置３０は、キーボード３７６およびマウス３７８等を介してユーザが情報処理装置３０に入力した編集指示を、データに反映する。そして、情報処理装置３０は、ユーザから視認可能な位置に存在すると判断した電子ペーパ２０に、編集後のデータを送信する。編集後のデータを受信した電子ペーパ２０は、当該データを表示する。情報処理装置３０は、ユーザが複数の電子ペーパ２０をめくった場合には、順次異なる電子ペーパ２０を、ユーザに視認可能な位置に存在する電子ペーパ２０であると判断することができる。
【００２７】
図２は、本実施形態に係る電子ペーパ２０および給電装置４０の機能構成の一例を示す。また、図３は、本実施形態に係る情報処理装置３０に機能構成の一例を示す。電子ペーパ２０は、第１表示部２００、第１表示制御部２１０、第１通信部２２０、格納ユニット２３０、受電部２４０、および光量検出部２５０を有する。なお、格納ユニット２３０は、電子ペーパ識別子格納部２３２およびデータ識別子格納部２３４を含む。さらに、光量検出部２５０は、複数の光センサ２５２を含む。なお、光量検出部２５０は、請求項に記載の電磁波強度検出部の一例である。
【００２８】
また、給電装置４０は、給電部４００、給電制御部４１０、および第３通信部４２０を有する。また、情報処理装置３０は、第２表示部３００、第２表示制御部３１０、第２通信部３２０、位置特定部３３０、データ取得部３４０、データ編集制御部３５０、位置関係判断部３６０、編集指示取得部３７０、情報入力部３７４、データ送信部３８０、データ格納部３９０、および表示順序格納部３９２を有する。
【００２９】
まず、給電装置４０の機能構成について説明する。給電装置４０は、予め定められた範囲に磁界を発生して、電子ペーパ２０に電力を供給する。具体的には、給電装置４０が有する給電部４００が、予め定められた範囲に磁界を発生する。例えば、給電部４００は、電子ペーパ２０が有する受電部２４０と直接接続しない状態で電力を給電する。また、給電装置４０は複数の給電部４００を有していてよい。この場合において、複数の給電部４００は、電子ペーパ２０が載置されるべき範囲に所定の間隔で配置されていてよい。第３通信部４２０は、情報処理装置３０から、電子ペーパ２０が存在する位置を示す位置情報を受信する。第３通信部４２０は、受信した位置情報を給電制御部４１０に供給する。
【００３０】
給電制御部４１０は、給電部４００から受電部２４０への電力の給電を制御する。給電制御部４１０は、給電部４００から受電部２４０への電力の給電量を、磁界の状態を変化させて制御する。給電制御部４１０は、初期状態において、電子ペーパ２０が有する第１通信部２２０および光量検出部２５０を動作させるのに要求されるだけの電力が給電部４００から受電部２４０へ給電されるべく、給電部４００が発生する磁界の強度を制御する。そして、給電制御部４１０は、給電部４００が発生する磁界の状態を監視する。給電部４００の位置から予め定められた範囲内に受電部２４０が存在すると、給電部４００が発生する磁界の状態が変化する。したがって、給電制御部４１０は、給電部４００が発生する磁界の状態が変化したことを検知したときに、給電部４００の位置から予め定められた範囲内に受電部２４０が存在すると判断して、給電部４００から電子ペーパ２０に電力を給電させてよい。
【００３１】
また、給電制御部４１０は、第３通信部４２０から受け取った位置情報から、電子ペーパ２０が存在する位置の給電部４００だけを稼働させて、電子ペーパ２０が有する第１表示制御部２１０を稼動させるために要求される電力を給電させてもよい。例えば、給電制御部４１０は、位置情報で特定される位置に配置された給電部４００に磁界を発生させる。すなわち、給電制御部４１０は、情報処理装置３０においてユーザから視認可能な位置に存在すると判断された電子ペーパ２０に電力を給電させるべく、位置情報で特定される位置に配置された給電部４００に磁界を発生させる。そして、給電制御部４１０は、給電部４００から電子ペーパ２０に第１表示制御部２１０の稼動用の電力を給電させてよい。
【００３２】
続いて、電子ペーパ２０の機能構成について説明する。電子ペーパ２０は、文書ファイルおよび画像ファイル等のデータを表示する。なお、電子ペーパ２０が表示するデータは、外部の情報処理装置３０で編集されるデータであってよい。まず、受電部２４０は、給電装置４０が有する給電部４００が発生した磁界から電力を受電する。受電部２４０は、受電した電力を第１表示制御部２１０、第１通信部２２０、および光量検出部２５０に供給する。なお、受電部２４０は、アンテナコイルを含んでいてよい。受電部２４０がアンテナコイルを含んでいる場合には、受電部２４０は、非接触的に電力を受電できる。
【００３３】
格納ユニット２３０は、電子ペーパ２０を識別する電子ペーパ識別子、および電子ペーパ２０が有する第１表示部２００が表示するデータを識別するデータ識別子を格納する。具体的には、電子ペーパ識別子格納部２３２は、電子ペーパ２０を識別する電子ペーパ識別子を格納する。また、データ識別子格納部２３４は、第１表示部２００が表示しているデータを識別するデータ識別子を格納する。データ識別子は、例えば、データ名、またはデータを含むファイル名であってよい。さらに、データ識別子は、データの所在を示すＵＲＬ等の情報を含んでいてもよい。格納ユニット２３０は、第１通信部２２０の制御に基づいて、電子ペーパ識別子およびデータ識別子を第１通信部２２０に供給する。
【００３４】
光量検出部２５０は、電子ペーパ２０に照射される光量を検出する。例えば、光量検出部２５０は、可視光の光量を検出する。光量検出部２５０は、受電部２４０が電力を受電した場合に、受電した電力を用いて光量を検出する。また、光量検出部２５０は、電子ペーパ２０の予め定められた複数の位置にそれぞれ配置された複数の光センサ２５２を含んでいてよい。光量検出部２５０は、検出した光量を第１通信部２２０に供給する。
【００３５】
なお、電子ペーパ２０が、赤外光、サブミリ波、またはマイクロ波等の可視光領域の波長とは異なる波長の電磁波の強度を検出する電磁波強度検出部を有する場合には、電磁波強度検出部は、電子ペーパ２０に照射される電磁波の強度を検出してよい。以下の実施形態においては、光量検出部２５０が光量を検出した場合について記載する。光量検出部２５０等から本実施形態の各構成要素に供給される情報は光量を示す情報である。一方、光量検出部２５０が、赤外光、サブミリ波、またはマイクロ波等の電磁波の強度を検出する電磁波強度検出部である場合には、電磁波強度検出部から各構成要素に供給される情報は、電磁波強度検出部が検出した電磁波の強度を示す情報であってもよい。
【００３６】
第１通信部２２０は、電子ペーパ識別子格納部２３２が格納している電子ペーパ識別子、データ識別子格納部２３４が格納しているデータ識別子、および光量検出部２５０が検出した光量を、情報処理装置３０に送信する。また、給電装置４０が磁界を発生している予め定められた範囲内に電子ペーパ２０が配置されて、受電部２４０が電力を受電した場合に、第１通信部２２０は、受電部２４０が受電した電力を用いて、電子ペーパ識別子、データ識別子、および検出された光量を情報処理装置３０に送信してよい。
【００３７】
なお、第１通信部２２０は、情報処理装置３０に所定の情報を送信する複数のアンテナを含んでいてよい。そして、第１通信部２２０が含む複数のアンテナは、電子ペーパ２０の予め定められた複数の位置にそれぞれ配置されていてよい。例えば、電子ペーパ２０の４隅にそれぞれ配置されていてよい。また、電子ペーパ２０の複数の辺または複数の隅のそれぞれの近傍に配置されていてもよい。さらに、第１通信部２２０が含む複数のアンテナに対して、複数のアンテナをそれぞれ識別するアンテナ識別子が対応づけられていてよい。
【００３８】
この場合においては、電子ペーパ２０が有する格納ユニット２３０は、複数のアンテナを識別するアンテナ識別子を格納するアンテナ識別子格納部をさらに含んでいてよい。そして、第１通信部２２０は、情報処理装置３０へ電子ペーパ識別子を送信するときには、複数のアンテナから同時に電子ペーパ識別子を送信する。この場合において、第１通信部２２０は、複数のアンテナそれぞれのアンテナ識別子に対応づけて電子ペーパ識別子を、複数のアンテナから情報処理装置３０に送信する。
【００３９】
第１表示制御部２１０は、第１通信部２２０から受け取ったデータを第１表示部２００に表示させる。また、第１表示制御部２１０は、第１表示部２００に既に所定のデータが表示されている場合には、第１表示部２００が表示している所定のデータを、第１通信部２２０から受け取ったデータの内容に更新してもよい。なお、第１表示制御部２１０は、受電部２４０が受電した電力を用いて、第１表示部２００にデータを表示させる。第１表示部２００は、データ識別子格納部２３４が格納しているデータ識別子で識別されるデータを表示する。具体的には、第１表示部２００は、第１表示制御部２１０に制御されて、第１通信部２２０が情報処理装置３０から受け取ったデータを表示する。なお、第１表示部２００は、請求項に記載の電子ペーパが有する表示部の一例である。
【００４０】
続いて、図３に示す情報処理装置３０の機能構成について説明する。情報処理装置３０は、所定のデータを電子ペーパ２０に送信して表示させる。第２通信部３２０は、電子ペーパ識別子格納部２３２が格納している電子ペーパ識別子、データ識別子格納部２３４が格納しているデータ識別子、および光量検出部２５０が検出した光量を、電子ペーパ２０の第１通信部２２０から受信する。なお、第２通信部３２０は、アンテナ３２２を含んでいてよい。具体的には、第２通信部３２０は、少なくとも３つのアンテナ３２２を含んでいてよい。そして、第２通信部３２０は、電子ペーパ２０から送信される所定の情報を、少なくとも３つのアンテナ３２２のそれぞれにおいて同時に受信してよい。
【００４１】
第２通信部３２０は、電子ペーパ識別子および光量を位置関係判断部３６０に供給する。また、第２通信部３２０は、電子ペーパ識別子を位置特定部３３０およびデータ送信部３８０に供給する。なお、第２通信部３２０は、電子ペーパ２０がアンテナ識別子に対応づけて電子ペーパ識別子を送信した場合には、少なくとも３つのアンテナ３２２において受信した、アンテナ識別子に対応づけられた電子ペーパ識別子を位置特定部３３０に供給する。この場合において、第２通信部３２０は、アンテナ３２２がアンテナ識別子に対応づけられた電子ペーパ識別子を受信したときの電界強度を、さらに位置特定部３３０に供給する。さらに、第２通信部３２０は、データ識別子をデータ取得部３４０およびデータ送信部３８０に供給する。また、第２通信部３２０は、データ送信部３８０の制御に基づいて、所定のデータを所定の電子ペーパ２０が有する第１通信部２２０に送信する。さらに、第２通信部３２０は、位置特定部３３０の制御に基づいて、電子ペーパ２０の位置を示す位置情報を、給電装置４０の第３通信部４２０に送信する。
【００４２】
データ格納部３９０は、データ識別子に対応づけてデータを格納する。データ格納部３９０は、データ取得部３４０に制御されて、データをデータ取得部３４０に供給する。データ取得部３４０は、第２通信部３２０から受け取ったデータ識別子で識別されるデータを、データ格納部３９０から取得する。データ取得部３４０は、取得したデータをデータ編集制御部３５０に供給する。また、データ取得部３４０は、取得したデータをデータ送信部３８０の要求に基づいて、データ送信部３８０に供給する。また、データ取得部３４０は、データ編集制御部３５０において編集を施されたデータを、データ編集制御部３５０から受け取ってもよい。係る場合には、データ取得部３４０は、データ編集制御部３５０において編集が施されたデータをデータ格納部３９０に格納してもよい。
【００４３】
情報入力部３７４は、ユーザからの情報の入力、例えば、ユーザによるデータの内容に対する編集指示を受け付ける。キーボード３７６およびマウス３７８は情報入力部３７４の一例である。情報入力部３７４は、ユーザのデータの内容に対する編集指示を編集指示取得部３７０に供給する。編集指示取得部３７０は、情報入力部３７４を介して、ユーザからのデータへの編集指示を取得する。編集指示取得部３７０は、編集指示をデータ編集制御部３５０に供給する。
【００４４】
位置関係判断部３６０は、複数の電子ペーパ２０がそれぞれ有する光量検出部２５０が検出した光量から、複数の電子ペーパ２０の相互の位置関係を判断する。すなわち、位置関係判断部３６０は、第２通信部３２０から受け取った電子ペーパ識別子で識別される電子ペーパ２０ごとに、電子ペーパ２０がそれぞれ有する光量検出部２５０が検出した光量を比較する。そして、位置関係判断部３６０は、複数の電子ペーパ２０の相互の位置関係を判断する。具体的には、位置関係判断部３６０は、複数の電子ペーパ２０がそれぞれ有する光量検出部２５０が検出した光量の順で、複数の電子ペーパ２０が重なっていると判断する。なお、位置関係判断部３６０は、電磁波強度検出部が検出した電磁波の強度の順で、複数の電子ペーパ２０が重なっていると判断してもよい。
【００４５】
例えば、位置関係判断部３６０は、電子ペーパ２０が有する光量検出部２５０が検出した光量が大きいほど、当該電子ペーパ２０が上に存在する（すなわち、光源により近い位置に存在する）と判断する。複数の電子ペーパ２０が束状に重なっている場合には、最も上に存在する電子ペーパ２０の光量検出部２５０が最も多くの光量を検出する。そして、最も上に存在する電子ペーパ２０から、束の下側に向かうにつれて、光量検出部２５０が検出する光量は漸次減少する。したがって、位置関係判断部３６０は、複数の電子ペーパ２０がそれぞれ有する光量検出部２５０が検出した光量が多い順に、電子ペーパ２０が重なっていると判断できる。
【００４６】
また、例えば、位置関係判断部３６０は、電子ペーパ２０が有する電磁波強度検出部が検出した電磁波の強度が大きいほど、当該電子ペーパ２０が他の電子ペーパ２０よりも上に存在すると判断してもよい。すなわち、複数の電子ペーパ２０が束状に重なっている場合には、最も上に存在する電子ペーパ２０から、束の下側の電子ペーパ２０に向かうにつれて、電磁波強度検出部が検出する電磁波強度は漸次減少する。したがって、位置関係判断部３６０は、電磁波強度検出部が検出した電磁波の強度の大きい順に、電子ペーパ２０が重なっていると判断してよい。
【００４７】
また、位置関係判断部３６０は、予め定められた光量以上を検出した光量検出部２５０を有する電子ペーパ２０が、ユーザから視認可能な位置にあると判断してもよい。また、位置関係判断部３６０は、最も多い光量を検出した光量検出部２５０を有する電子ペーパ２０がユーザから視認可能な位置に存在すると判断してもよい。位置関係判断部３６０は、判断結果を位置特定部３３０、データ編集制御部３５０、およびデータ送信部３８０に供給する。具体的には、位置関係判断部３６０は、電子ペーパ識別子に対応づけて、電子ペーパが重なっている順を、位置特定部３３０、データ編集制御部３５０、およびデータ送信部３８０に供給する。
【００４８】
表示順序格納部３９２は、複数のデータ識別子のそれぞれに対応づけて、当該データ識別子で識別されるデータの表示順序を格納する。具体的には、表示順序格納部３９２は、データ格納部３９０がデータ識別子に対応づけて格納しているデータの表示順序を格納する。表示順序格納部３９２がデータ識別子に対応づけて格納するデータ識別子で識別されるデータの表示順序は、例えば、データ識別子で識別されるデータが文書データの場合には、文書データに含まれる文書データのページ順序であってよい。また、表示順序格納部３９２が格納するデータの表示順序は、データが画像データである場合には、画像データの表示順序であってもよい。さらに、表示順序格納部３９２が格納するデータの表示順序は、予め定められたファイルデータ（例えば、文書ファイルおよび画像ファイル等）の順序であってもよい。表示順序格納部３９２は、データ送信部３８０の制御に基づいて、データの表示順序を、データ送信部３８０に供給する。
【００４９】
データ送信部３８０は、位置関係判断部３６０から受け取った判断結果が示す、複数の電子ペーパの相互の位置関係に応じて、複数の電子ペーパ２０のそれぞれに対して、複数の電子ペーパ２０がそれぞれ有する第１表示部２００に表示させるべきデータを送信する。データ送信部３８０は、位置関係判断部３６０から受け取った複数の電子ペーパ２０の相互の位置関係の判断結果から、データを送信すべき電子ペーパ２０を選択する。例えば、データ送信部３８０は、位置関係判断部３６０がユーザから視認可能な位置に存在すると判断した電子ペーパ２０を、データを送信すべき電子ペーパ２０として選択する。そして、データ送信部３８０は、データ取得部３４０に働きかけて、選択した電子ペーパ２０に表示させるべきデータを取得する。データ送信部３８０は、データ取得部３４０から取得したデータを、第２通信部３２０に働きかけて、選択した電子ペーパ２０が有する第１通信部２２０に送信させる。
【００５０】
具体的には、データ送信部３８０は、位置関係判断部３６０が判断した、複数の電子ペーパ２０の重なっている順に、複数の電子ペーパ２０のそれぞれに対して、複数の電子ペーパがそれぞれ有する第１表示部２００に表示させるべきデータを送信する。例えば、データ送信部３８０は、複数の電子ペーパ２０が束状に重なっている場合に、束の上から順に存在する電子ペーパ２０の電子ペーパ識別子を、位置関係判断部３６０から受け取る。そして、データ送信部３８０は、第２通信部３２０から受け取った電子ペーパ識別子で識別される電子ペーパ２０に表示されるべきデータとして、第２通信部３２０から受け取ったデータ識別子で識別されるデータを取得する。データ送信部３８０は、データ取得部３４０に働きかけて、データ取得部３４０がデータ格納部３９０から取得したデータを受け取ってよい。
【００５１】
また、データ送信部３８０は、位置関係判断部３６０がユーザから視認可能な位置に存在すると判断した電子ペーパ２０に対して、電子ペーパ２０が有する第１表示部２００に表示させるべきデータを、第２通信部３２０から第１通信部２２０に送信させてもよい。また、データ送信部３８０は、表示順序格納部３９２が格納しているデータの表示順序と、位置関係判断部３６０が判断した複数の電子ペーパの重なっている順とを一致させるべく、複数の電子ペーパのそれぞれに対して、複数のデータ識別子格納部２３４のいずれかが格納しているデータ識別子で識別されるデータのそれぞれを、第２通信部３２０から第１通信部２２０に送信させてもよい。
【００５２】
データ編集制御部３５０は、位置関係判断部３６０がユーザから視認可能な位置に存在すると判断した電子ペーパ２０が有する第１表示部２００に表示されているデータの内容の編集を許可する。すなわち、データ編集制御部３５０は、複数の電子ペーパ２０が束状に重ねられていた場合、および複数の電子ペーパ２０が重ねられていた場合において、ユーザから視認可能な位置、例えば、複数の電子ペーパ２０のうち最も上に存在する電子ペーパ２０に表示されているデータの内容の編集を許可する。具体的には、データ編集制御部３５０は、編集指示取得部３７０から受け取ったユーザの編集指示を、データ取得部３４０から受け取ったデータの内容に反映させる。データ編集制御部３５０は、データの内容を編集した後のデータをデータ取得部３４０に供給する。また、データ編集制御部３５０は、データまたは編集後のデータを第２表示制御部３１０に供給する。第２表示制御部３１０は、データ編集制御部３５０から受け取ったデータを第２表示部３００に表示させる。第２表示部３００は、第２表示制御部３１０の制御に基づいて、データを表示する。
【００５３】
位置特定部３３０は、位置関係判断部３６０がユーザから視認可能な位置に存在すると判断した電子ペーパ２０の位置を特定する。具体的には、位置特定部３３０は、位置関係判断部３６０から、ユーザから視認可能な位置に存在すると判断された電子ペーパ２０の電子ペーパ識別子を取得する。そして、第２通信部３２０から受け取ったアンテナ識別子に対応づけられた複数の電子ペーパ識別子のうち、ユーザから視認可能な位置に存在する電子ペーパ２０の電子ペーパ識別子と一致する電子ペーパ識別子を抽出する。すなわち、位置特定部３３０は、位置関係判断部３６０においてユーザから視認可能な位置に存在すると判断された電子ペーパ２０の、アンテナ識別子に対応づけられた電子ペーパ識別子を少なくとも３つ抽出する。
【００５４】
位置特定部３３０は、抽出した少なくとも３つの電子ペーパ識別子を第２通信部３２０が受信したときのそれぞれの電界強度と、第２通信部３２０が含む少なくとも３つのアンテナ３２２の位置とを用いて３点測量演算をする。そして、位置特定部３３０は、電子ペーパ２０が含む少なくとも３つのアンテナの位置を特定する。続いて、位置特定部３３０は、特定した電子ペーパ２０のアンテナの位置から、電子ペーパ２０の位置および情報処理装置３０に対する向きを特定する。
【００５５】
なお、複数の電子ペーパ２０は、それぞれが予め定められた規格に基づいて製造されていてよく、略同一の大きさおよび形状を有していてよい。そして、複数の電子ペーパ２０がそれぞれ有するアンテナについても、複数の電子ペーパ２０のそれぞれについて略同一の位置に配置されていてよい。これにより、電子ペーパ２０が含むアンテナの位置を特定することにより、複数の電子ペーパ２０の情報処理装置３０に対する相対的な位置を正確に特定できる。位置特定部３３０は、特定した電子ペーパ２０の位置を示す位置情報を、第２通信部３２０に供給する。第２通信部３２０は、位置特定部３３０から受け取った位置情報を、第３通信部４２０へ送信する。
【００５６】
なお、表示システム１０は、電子ペーパ２０の位置を指定する電子ペーパ位置指定装置をさらに備えていてもよい。電子ペーパ位置指定装置は、電子ペーパ２０と接した場合に、当該電子ペーパ２０が有するデータ識別子格納部２３４が格納しているデータ識別子を取得する。例えば、電子ペーパ位置指定装置は、バッテリを有していてよい。そして、電子ペーパ位置指定装置は、予め定められた範囲に磁界を発生して電子ペーパ２０に電力を給電する電子ペーパ位置指定装置側給電部を有していてよい。電子ペーパ位置指定装置側給電部は、電子ペーパ位置指定装置が有するバッテリの電力を用いて、電子ペーパ２０に電力を給電する。
【００５７】
そして、電子ペーパ２０は、電子ペーパ位置指定装置側給電部から給電された電力を用いて、電子ペーパ識別子およびデータ識別子を電子ペーパ位置指定装置に送信する。電子ペーパ位置指定装置は、電子ペーパ２０から受信した電子ペーパ識別子およびデータ識別子を情報処理装置３０に送信する。表示システム１０が電子ペーパ位置指定装置を備える場合には、ユーザが電子ペーパ位置指定装置を接触させた電子ペーパ２０を、位置関係判断部３６０は、複数の電子ペーパ２０の中で最も上にある電子ペーパ２０であると判断してもよい。係る場合においては、電子ペーパ２０は、光量検出部２５０を有していなくてもよい。
【００５８】
本実施形態に係る表示システム１０によれば、複数の電子ペーパ２０の重なりを判断して、ユーザから視認可能な位置に存在する電子ペーパ２０を特定することができる。これにより、ユーザから視認可能な位置に存在する電子ペーパ２０だけに所定のデータを表示することができるので、ユーザが複数の電子ペーパ２０を、ランダムに配置した場合であっても、ユーザが視認可能な電子ペーパ２０だけにユーザが所望するデータを表示することができる。
【００５９】
また、本実施形態に係る表示システム１０によれば、ユーザから視認可能な位置に存在する電子ペーパ２０に表示されているデータだけを、情報処理装置３０において編集可能にすることができる。これにより、ユーザが実際に見ている電子ペーパ２０に表示されているデータをユーザは編集できる。
【００６０】
図４は、本実施形態に係る光量検出部２５０が含む光センサ２５２の配置の一例を示す。電子ペーパ２２は、複数の隅のそれぞれの近傍に配置された複数の光センサ２５２を有している。具体的には、電子ペーパ２２は、４つの隅のそれぞれの近傍に、光センサ２５２をそれぞれ有していてよい。例えば、複数の電子ペーパ２２が有する光量検出部２５０において、４つの隅の光センサ２５２の全てが予め定められた光量以上を検出した場合には、位置関係判断部３６０は、当該電子ペーパ２２が複数の電子ペーパ２２のうち、最も上に存在すると判断できる。
【００６１】
また、電子ペーパ２２の４つの隅の光センサ２５２のうち、予め定められた光量以上を検出した光センサ２５２が４つ存在する電子ペーパ２２がある一方で、予め定められた光量以上を検出した光センサ２５２が１つも存在しない電子ペーパ２２がある場合には、予め定められた光量以上を検出した光センサ２５２が１つも存在しない電子ペーパ２２が、予め定められた光量以上を検出した光センサ２５２が４つ存在する電子ペーパ２２の下側に存在すると、位置関係判断部３６０は判断できる。
【００６２】
また、電子ペーパ２４においては、光センサ２５２が、電子ペーパ２４の複数の辺および複数の隅のそれぞれの近傍に配置されている。なお、光センサ２５２は、電子ペーパ２０の複数の辺または複数の隅のそれぞれの近傍に配置されていてもよい。例えば、位置関係判断部３６０は、複数の電子ペーパ２４が重なっている場合において、複数の電子ペーパ２４がそれぞれ有する複数の光センサ２５２のうち、予め定められた値以上の光量を検出した光センサ２５２の数が多い順に、複数の電子ペーパ２４が重なっていると判断してよい。
【００６３】
図５は、本実施形態に係る表示システム１０の動作の一例を示す。本実施形態に係る表示システム１０によれば、複数の電子ペーパ２０を重ねた場合に、複数の電子ペーパ２０が有するデータ識別子格納部２３４がそれぞれ格納しているデータ識別子で識別されるそれぞれのデータが、情報処理装置３０において予め定められたデータの表示順にしたがってソートされる。そして、情報処理装置３０の制御に基づいて、ソートされたデータが、複数の電子ペーパ２０の上から順にそれぞれ表示される。なお、以下に述べる電子ペーパ２１、電子ペーパ２３、および電子ペーパ２５等は、電子ペーパ２０の一例である。
【００６４】
例えば、電子ペーパ２１、電子ペーパ２３、および電子ペーパ２５等を重ねる場合を考える。電子ペーパ２１、電子ペーパ２３、および電子ペーパ２５等がそれぞれ有するデータ識別子格納部２３４は、電子ペーパ２１、電子ペーパ２３、および電子ペーパ２５等に表示されているデータを識別するデータ識別子をそれぞれ格納している。具体的には、電子ペーパ２１が有するデータ識別子格納部２３４は、データ識別子２０００を格納している。また、電子ペーパ２３が有するデータ識別子格納部２３４は、データ識別子２１００を格納している。さらに、電子ペーパ２５が有するデータ識別子格納部２３４は、データ識別子２２００を格納している。
【００６５】
ここで、電子ペーパ２１、電子ペーパ２３、および電子ペーパ２５等を束状に重ねた状態で給電装置４０の上に置くと、電子ペーパ２１、電子ペーパ２３、および電子ペーパ２５等のそれぞれに給電装置４０から電力が給電される。そして、電子ペーパ２１、電子ペーパ２３、および電子ペーパ２５等は、給電装置４０から給電された電力を用いて、電子ペーパ２１、電子ペーパ２３、および電子ペーパ２５等がそれぞれ有する光量検出部２５０が検出した光量と共に、電子ペーパ２１、電子ペーパ２３、および電子ペーパ２５等が有するデータ識別子格納部２３４がそれぞれ格納しているデータ識別子を情報処理装置３０に送信する。
【００６６】
そして、情報処理装置３０は、電子ペーパ２１、電子ペーパ２３、および電子ペーパ２５等のそれぞれから受信した光量に基づいて、電子ペーパ２１、電子ペーパ２３、および電子ペーパ２５等の重なりの順を判断する。例えば、図５の例においては、位置関係判断部３６０は、電子ペーパ２１、電子ペーパ２３、および電子ペーパ２５の順に電子ペーパは重なっていると判断する。また、データ送信部３８０は、電子ペーパ２１、電子ペーパ２３、および電子ペーパ２５等のそれぞれが送信したデータ識別子を取得して、取得したデータ識別子で識別されるデータの表示順序を、表示順序格納部３９２が格納している表示順序から判断する。
【００６７】
具体的には、データ送信部３８０は、電子ペーパ２１、電子ペーパ２３、および電子ペーパ２５等から第２通信部３２０が受信したデータ識別子に対応づけて表示順序格納部３９２が格納している表示順序を取得する。そして、データ送信部３８０は、表示順序格納部３９２から取得した表示順序となるように、データ識別子で識別されるデータの表示順序をソートする。
【００６８】
例えば、データ送信部３８０は、電子ペーパ２１から第２通信部３２０が受信したデータ識別子２０００で識別されるデータの表示順序が３番目であることを、表示順序格納部３９２がデータ識別子２０００に対応づけて格納している表示順序から判断する。同様にして、データ送信部３８０は、電子ペーパ２３から第２通信部３２０が受信したデータ識別子２１００で識別されるデータの表示順序が１番目であり、電子ペーパ２５から第２通信部３２０が受信したデータ識別子２２００で識別されるデータの表示順序が２番目であると判断する。
【００６９】
続いて、データ送信部３８０は、電子ペーパ２１、電子ペーパ２３、および電子ペーパ２５等に表示させるべきデータを、データ取得部３４０から受け取る。そして、データ送信部３８０は、表示順序にしたがって、データ取得部３４０から受け取ったデータのそれぞれを、第２通信部３２０から電子ペーパ２１、電子ペーパ２３、および電子ペーパ２５等へ送信させる。なお、データ送信部３８０は、表示順序にしたがって、電子ペーパ２１、電子ペーパ２３、および電子ペーパ２５等に送信するデータに、ページ番号を付加してもよい。
【００７０】
例えば、データ送信部３８０は、複数の電子ペーパ２１、電子ペーパ２３、および電子ペーパ２５等の重なりのうち、最も上に存在する電子ペーパ２１に、データ識別子２１００で識別されるデータを表示させるべく、第２通信部３２０から電子ペーパ２１が有する第１通信部２２０に表示順序が１番目のデータを送信させる。同様にして、データ送信部３８０は、電子ペーパ２３に、表示順序が２番目のデータを、電子ペーパ２５に、表示順序が３番目のデータを表示させるべく、第２通信部３２０から電子ペーパ２３および電子ペーパ２５がそれぞれ有する第１通信部２２０にそれぞれ所定のデータを送信させる。
【００７１】
本実施形態に係る表示システム１０によれば、複数の電子ペーパをユーザが任意に重ねた場合であっても、予め定められたデータの表示順序にしたがって、データが電子ペーパの上から表示される。これにより、ユーザは、データの順序を揃えることを目的として、電子ペーパの並べ替えをする必要がなくなる。
【００７２】
なお、本表示システム１０は、上記の通り複数の電子ペーパ２１、２３、２５をユーザが任意に重ねた場合であっても予め定められたデータの表示順序にしたがって、データが電子ペーパの上から表示される。しかし、本表示システム１０は、電子ペーパにデータを一旦表示させた後に、電子ペーパを離散して配置した場合、電子ペーパが表示しているデータを保持することができる。すなわち、表示システム１０は、データ送信部３８０が複数の電子ペーパ２１、２３、２５のそれぞれの第１表示部２００に表示させるべきデータを送信した後に、複数の電子ペーパ２１、２３、２５のそれぞれを離散して配置した場合、複数の電子ペーパ２１、２３、２５のそれぞれの第１表示部２００における表示を保持する。
【００７３】
電子ペーパ２１、２３、２５のそれぞれの第１表示部２００における表示は、給電装置４０からの給電がなければ保持されるから、給電装置４０から電力が給電されている場合には、データ送信部３８０からのデータの送信を行わないことで保持される。たとえば、情報処理装置３０の情報入力部３７４から、電子ペーパ２１、２３、２５の表示を更新しない選択を入力して、データ送信部３８０からのデータの送信を行わないようにできる。
【００７４】
図６は、本実施形態に係る給電装置４０の一例を示す。給電装置４０は、電子ペーパ２０が載置されるべき範囲に、所定の間隔で配置された複数の給電部４００を有する。給電装置４０が有する複数の給電部４００は、非接触で電磁的に電力を電子ペーパ２０が有する受電部２４０に給電する。なお、給電部４００は、給電用のコイルを含んでいてよい。すなわち、給電部４００は、給電用のコイルから電磁波を発生させる。そして、受電部２４０は、給電部４００の給電用コイルが発生した電磁波を受けて誘電気電力を発生することにより、給電部４００から電力を受電してよい。
【００７５】
具体的には、給電装置４０は、電子ペーパ２０が領域４０２に設置された場合に、領域４０２に存在する複数の給電部４００だけから磁界を発生して、電子ペーパ２０に電力を給電する。例えば、給電装置４０が有する給電制御部４１０は、給電部４００が発生する磁界の状態を監視する。そして、給電部４００の位置から予め定められた範囲内に電子ペーパ２０が有する受電部２４０が存在すると、給電部４００が発生する磁界の状態が変化する。給電制御部４１０は、給電部４００が発生する磁界の状態が変化したことを検知したときに、給電部４００を稼動させる。
【００７６】
図７は、表示システムの他の例を示す。本表示システムは、電子ペーパ６０ａ、６０ｂ、６０ｃ、６０ｄ、６０ｅ及び６０ｆと、情報処理装置３０と、給電装置４０とを備える。情報処理装置３０及び給電装置４０は前記したものと同様であるから説明を省略する。電子ペーパ６０ａ〜６０ｅは重ねられており、前記した電子ペーパ２１、２３及び２５と同様に情報処理装置３０から表示すべきデータが送信されて表示されている。
【００７７】
図８は、電子ペーパ６０ａ〜６０ｆの一例を示す。電子ペーパ６０（電子ペーパ６０ａ〜６０ｆは同一の構造および機能を有しており区別する必要がないので電子ペーパ６０と標記する）は、表示部１２１０、位置判断部１２１２、表示制御部１２１４、メモリ部１２１６、通信部１２１８、受電部１２２０、表示起動部１２２２、データタイプ判断部１２２４を備える。表示部１２１０は、複数の信号送受信部１２３０および複数の光センサ１２３２を有する。なお、電子ペーパ６０ａ〜６０ｆの各々の部材を区別して標記する場合には、表示部１２１０ａ等のように符号にａ〜ｆ等のアルファベットを付記して標記する。
【００７８】
表示部１２１０は、表示制御部１２１４からの制御を受けて、文字（テキスト）、図表、画像等のデータを表示する。表示部１２１０は、電子ペーパ６０への電源供給を遮断しても表示が保持される。表示部１２１０は、画素ごとの表示、非表示がパッシブマトリックスあるいはアクティブマトリックスによって制御され、カラーフィルタを用いことにより、あるいは画素材料として着色材料を用いることによりカラーでの表示ができるようになる。
【００７９】
表示部１２１０には、複数の信号送受信部１２３０を有する。たとえば表示部１２１０の４隅に信号送受信部１２３０を配置することができる。信号送受信部１２３０は、信号送信部および信号受信部の一例である。本実施形態では、信号送受信部１２３０として信号受信機能と信号発信機能とを併せ持つものを例示しているが、信号送受信部１２３０は、信号受信部および信号発信部に分離されてもよい。
【００８０】
信号送受信部１２３０は、各表示部の何れの配置位置から発せられた信号であるかを識別する識別信号を発信する。すなわち信号送受信部１２３０は、その信号送受信部１２３０に固有の識別信号を発信する。識別の方法として、たとえば識別信号ごとに発信周波数を割り当てる方法がある。他の方法として、たとえば識別信号に識別コードを割り当てる方法がある。識別コードを割り当てる場合であって同一周波数を用いて識別信号を伝送する場合には、混信を防止することを目的として、信号送受信部１２３０ごとの発信タイミングを制御するネゴシエーションプロセスを導入することができる。
【００８１】
また、信号送受信部１２３０は、複数の信号送受信部１２３０が発信する各識別信号を受信する。なお表示部１２１０の各々に信号送受信部１２３０を備えるから、本実施形態においては信号送受信部１２３０である信号発信部および信号受信部を各電子ペーパの表示部１２１０の各々に備えることになる。しかし、信号送受信部１２３０を信号発信部と信号受信部とに分離する場合には、いずれか一つの表示部に信号受信部を備え、他の表示部に信号発信部を備えてもよい。情報処理装置３０の位置関係判断部３６０によって各表示部の位置関係を判断する場合には、各表示部に信号発信部を備えればよい。
【００８２】
表示部１２１０の周辺領域には、複数の光センサ１２３２を有する。光センサ１２３２は、表示部１２１０の周辺領域における光を検出する。光センサ１２３２として、たとえば可視光域に感度を有するフォトセンサが例示できる。
【００８３】
位置判断部１２１２は、各電子ペーパ６０の表示部１２１０の位置関係を判断する。位置判断部１２１２は、たとえば信号送受信部１２３０からの識別信号または光センサ１２３２からの光強度信号を受けて、これらの信号から表示部１２１０の位置関係を判断する。なお、各電子ペーパ６０のそれぞれに位置判断部１２１２を有するが、何れかの位置判断部１２１２が判断した位置関係を他の電子ペーパに通信することができる場合にはそれぞれが独立して動作しなくてもよい。また、情報処理装置３０の位置関係判断部３６０によって各表示部の位置関係を判断する場合には、各電子ペーパの位置判断部１２１２は機能しなくてよい。
【００８４】
位置判断部１２１２が信号送受信部１２３０からの識別信号を受けて前記位置関係を判断する場合、たとえば以下のように動作できる。すなわち、位置判断部１２１２は、識別信号を受信した信号送受信部１２３０の表示部１２１０における各配置位置と、各配置位置において信号送受信部１２３０が受信した識別信号の強度とから、受信側の表示部１２１０を基準として、識別信号を発信した信号送受信部１２３０の位置を特定する。たとえば表示部１２１０ａを基準とする場合、表示部１２１０ａの４隅に配置される各信号送受信部１２３０ａが、表示部１２１０ｂ〜１２１０ｆの４隅に配置される各信号送受信部１２３０ｂ〜１２３０ｆからの各識別信号を受信する。
【００８５】
識別信号の発信強度を予め同じにするか、あるいは既知の距離における受信強度を測定してキャリブレーションをしておけば、信号の受信強度は距離の関数になるから、任意の受信側の信号送受信部１２３０における識別信号の強度を測定して、任意の発信側の信号送受信部１２３０までの距離を求めることができる。表示部１２１０における信号送受信部１２３０の配置位置は既知である。よって、受信側の表示部１２１０（たとえば表示部１２１０ａ）の信号送受信部１２３０（たとえば信号送受信部１２３０ａ）のうち少なくとも３箇所における識別信号の強度を測定すれば、その識別信号を発信する信号送受信部１２３０（たとえば信号送受信部１２３０ｂ）の位置が受信側の表示部１２１０を基準として特定される。
【００８６】
このような信号送受信部１２３０の特定を、発信側の表示部１２１０（たとえば表示部１２１０ｂ）の少なくとも３箇所について実施すれば、受信側の表示部１２１０を基準とする発信側の表示部１２１０の位置を特定できる。すなわち、信号発信部の一例である発信側の信号送受信部１２３０の特定された位置と、表示部１２１０における発信側の信号送受信部１２３０の配置位置とから、第１表示部および第２表示部の一例である発信側および受信側の表示部１２１０の位置関係を判断する。
【００８７】
位置判断部１２１２が光センサ１２３２からの光強度信号を受けて前記位置関係を判断する場合、前記した光センサ２５２を利用する場合と同様に判断できる。すなわち、複数の電子ペーパ６０が重なっている場合において複数の電子ペーパ６０がそれぞれ有する複数の光センサ１２３２のうち、予め定められた値以上の光量を検出した光センサ１２３２の数が多い順に電子ペーパ６０がかさなっていると判断できる。
【００８８】
なお、位置判断部１２１２で判断できる位置関係として、以下のような位置関係が例示できる。すなわち、表示部１２１０が互いに重なる重畳関係、表示部１２１０が互いに隣接する隣接関係、表示部１２１０が同一の方向に配置される同一方向関係、表示部１２１０が異なる方向に配置される異方向関係、あるいは表示部１２１０が表示面から離れて配置される揚上関係を例示できる。
【００８９】
表示制御部１２１４は、表示部１２１０へのデータの表示を制御する。ある電子ペーパ６０（たとえば電子ペーパ６０ｅ）と他の電子ペーパ６０（たとえば電子ペーパ６０ｆ）とが協働する場合には、たとえば表示制御部１２１４ｆは、協働する電子ペーパの何れかの位置判断部１２１２または情報処理装置３０の位置関係判断部３６０が判断した位置関係に応じて、一方の電子ペーパの表示部（たとえば表示部１２１０ｅ）が表示している表示データの部分データまたは表示データに隣接する隣接文書データを他方の電子ペーパの表示部（たとえば表示部１２１０ｆ）に表示する。なお、たとえば表示部１２１０ｆへの表示は直接的にはたとえば表示制御部１２１４ｆが制御するが、たとえば表示制御部１２１４ｅあるいは情報処理装置３０のデータ送信部３８０が前記位置関係に応じた前記部分データまたは隣接文書データを生成して、これをたとえば電子ペーパ６０ｆに送信してたとえば表示部１２１０ｆに表示させてもよい。
【００９０】
メモリ部１２１６は、表示部１２１０に表示するデータを記録する。また、メモリ部１２１６は、表示制御部１２１４が表示部１２１０の表示を制御するときに利用するワークエリアを提供する。メモリ部１２１６は、表示制御部１２１４を介してまたは直接に通信部１２１８との間でデータを送受信する。
【００９１】
通信部１２１８は、他の電子ペーパ６０と通信する。また通信部１２１８は情報処理装置３０等電子ペーパ６０を制御する機器との通信をインターフェイスする。
【００９２】
受電部１２２０は、給電装置４０からの電力を受電する。磁気誘導による給電の場合、たとえばコイルが例示できる。あるいは、電磁波による給電の場合、アンテナを例示できる。受電部１２２０には無配線で給電されることが好ましいが、有線で給電されてもよい。また、電池その他のバッテリにより給電されるものであってもよい。
【００９３】
表示起動部１２２２は、表示部１２１０に表示するデータの表示処理の起動を示す表示起動信号を発生する。すなわち、表示起動部１２２２は表示起動信号を発生して表示部１２１０に表示されている表示データの更新を起動する。
【００９４】
表示起動部１２２２が表示起動信号を発生すると、表示起動信号は位置判断部１２１２および表示制御部１２１４に入力され、表示起動信号を受信した位置判断部１２１２は、表示起動信号を受信した時点の表示部１２１０と他の電子ペーパの表示部１２１０との位置関係である表示起動時位置関係を判断する。そして、表示起動信号を受信した表示制御部１２１４は、表示起動時位置関係に応じて、他の電子ペーパ６０の表示部１２１０が表示している表示データの部分データまたは隣接文書データの部分データまたは隣接文書データを表示部１２１０に表示する。
【００９５】
表示起動信号の発生契機として、たとえばユーザによる操作を検知するスイッチを備えることができる。この場合、表示起動部１２２２は、スイッチの操作を検知して表示起動信号を発生する。あるいは、表示起動信号の発生契機として、光センサ１２３２を利用できる。この場合、表示起動部１２２２は、光センサ１２３２で検出される光の強度が所定の値に低下したことを検知して表示起動信号を発生できる。
【００９６】
また、表示起動信号の発生契機として、表示部１２１０に有するタイマを利用できる。すなわち、表示部１２１０には所定の場所に表示部１２１０が置かれたときにリセットされるタイマ部を有する。表示起動部１２２２は、表示部１２１０のタイマ部のカウント数が他の電子ペーパ６０の表示部１２１０におけるタイマ部のカウント数に比較して小さくなったことを検知して、表示起動信号を発生できる。
【００９７】
さらに、表示起動信号の発生契機として、給電装置４０からの電力の供給開始を利用できる。ずなわち、表示起動部１２２２は、表示部１２１０への電力の供給開始を検知して表示起動信号を発生できる。
【００９８】
データタイプ判断部１２２４は、表示部１２１０に表示する表示データのタイプを判断する。これにより、表示データのタイプに応じて表示部１２１０への表示を行える。すなわち、表示制御部１２１４は、データタイプ判断部１２２４が判断したデータのタイプに応じて、他の表示部１２１０が表示する表示データの部分データまたは隣接文書データを表示部１２１０に表示する。
【００９９】
たとえば、データタイプ判断部１２２４が判断したデータのタイプが文書型である場合、表示制御部１２１４は、他の表示部が表示している文書ページの前ページまたは次ページを、位置判断部１２１２が判断した位置関係に応じて、表示部１２１０に表示する。あるいは、データタイプ判断部１２２４が判断したデータのタイプが画像型である場合、表示制御部１２１４は、他の表示部が表示している立体画像の視線方向または回転角を位置判断部１２１２が判断した位置関係に応じて変更する。そして表示制御部１２１４は、視線方向または回転角を変更した立体画像を表示部１２１０に表示する。
【０１００】
本実施形態の表示システムによれば、各電子ペーパ６０ａ〜６０ｆの相互の位置関係を各種選択して配置することにより、たとえば電子ペーパ６０ｆの表示部１２１０ｆに、位置関係に応じた各種の態様でたとえば電子ペーパ６０ｅの表示部１２１０ｅに表示されている表示データの部分データまたは隣接文書データを表示できる。また、データタイプ判断部１２２４を備えることにより、表示データのタイプに適した態様でたとえば表示部１２１０ｆにデータを表示できる。さらに、表示起動部１２２２を備えることにより、電子ペーパ６０ｅ等を再度アクティブにしてその表示部１２１０ｅ等に、他の表示部１２１０に表示している表示データの部分データあるいは隣接文書データを表示できる。以下、たとえば表示部１２１０ｅと表示部１２１０ｆとの位置関係により異なる表示態様となることを具体的に説明する。
【０１０１】
図９は、本表示システムにおける表示例を示す。ここで示す表示例は、電子ペーパ６０ｅと電子ペーパ６０ｆとが隣接関係にある場合の表示部１２１０ｆへの表示態様を示す。同図において電子ペーパ６０ａ〜６０ｅは重ねて配置されている。また、同図において上部は電子ペーパ６０ｆを電子ペーパ６０ｅの隣に配置する前を示しており、下部は電子ペーパ６０ｆを電子ペーパ６０ｅの隣に配置した後を示す。
【０１０２】
電子ペーパ６０ｆを配置する前において、電子ペーパ６０ｅの表示部１２１０ｅには表示データ１３００が表示されている。本例において表示データ１３００は文書データであり、文書１ページ分が表示部１２１０ｅに表示されている。一方、電子ペーパ６０ｆの表示部１２１０ｆにはここでは何も表示されていない。
【０１０３】
ここで、電子ペーパ６０ｆを電子ペーパ６０ｅの隣に配置する（同図下部）。すると電子ペーパ６０ｆの受電部１２２０ｆが給電装置４０からの電力を受けて、電子ペーパ６０ｆの各部が動作を開始する。表示起動部１２２２は、受電部１２２０ｆへの給電開始を検知して表示起動信号を発生する。表示起動信号は、位置判断部１２１２ｆおよび表示制御部１２１４ｆに供給され、位置判断部１２１２ｆでは電子ペーパ６０ｅと電子ペーパ６０ｆとの位置関係が判断される。
【０１０４】
なお、表示起動信号を電子ペーパ６０ｅに送信して、電子ペーパ６０ｅの位置判断部１２１２ｅで電子ペーパ６０ｅと電子ペーパ６０ｆとの位置関係を判断してもよい。あるいは情報処理装置３０の位置関係判断部３６０が位置関係を判断してもよい。
【０１０５】
本例では、電子ペーパ６０ｆを電子ペーパ６０ｅの隣に配置するから、位置判断部１２１２ｆが判断する表示部１２１０ｅと表示部１２１０ｆとの位置関係は隣接関係になる。隣接関係であるとの位置関係の情報は、位置判断部１２１２ｆからたとえば位置関係コ―ドとして表示制御部１２１４ｆに送られる。位置関係を取得した表示制御部１２１４ｆは、隣接関係であるとの情報に基づき、表示データ１３００の隣接データである次ページ１３１０を表示部１２１０ｆに表示する。なお、次ページ１３１０のデータは通信部１２１８ｆを介して電子ペーパ６０ｅからあるいは情報処理装置３０から取得できる。
【０１０６】
本例の表示システムによれば、表示部１２１０ｅと表示部１２１０ｆとの位置関係が隣接関係であるとの判断に基づき、表示部１２１０ｅに表示されている表示データ１３００の隣接文書データである次ページ１３１０を表示部１２１０ｆに表示できる。この結果、ユーザが電子ペーパ６０ｆを電子ペーパ６０ｅの隣に置くだけで次ページが表示できるようになり、ユーザの利便性を高めることができる。なお、本例では、電子ペーパ６０ｆを電子ペーパ６０ｅの右側に配置する例を示したが、左側に配置してもよい。この場合も隣接関係ではあるが、隣接位置が相違するから、この隣接位置の相違に基づき、たとえば左側に配置した電子ペーパ６０ｆの表示部１２１０ｆには表示データ１３００の前ページを表示するようにしてもよい。
【０１０７】
また、本例では、表示部１２１０ｆが表示部１２１０ｅに隣接する隣接関係に応じて隣接文書ページを表示部１２１０ｆに表示する例を示した。しかし、本例は表示部１２１０ｆが表示部１２１０ｅと同一方向に配置されるものでもあり、このような同一方向関係に基づいて隣接文書ページを表示部１２１０ｆに表示するものであってもよい。
【０１０８】
図１０は、本表示システムにおける他の表示例を示す。ここで示す表示例は、電子ペーパ６０ｅと電子ペーパ６０ｆとが異方向かつ隣接関係にある場合の表示部１２１０ｆへの表示態様を示す。同図において電子ペーパ６０ａ〜６０ｅは、前例と同様に重ねて配置されている。また、同図において上部は電子ペーパ６０ｆを電子ペーパ６０ｅの隣にかつ電子ペーパ６０ｅとは異なる方向で配置する前を示しており、下部は電子ペーパ６０ｆを電子ペーパ６０ｅの隣に異方向で配置した後を示す。
【０１０９】
電子ペーパ６０ｆを配置する前において、電子ペーパ６０ｅの表示部１２１０ｅには表示データ１３００が表示されている。本例において表示データ１３００は文書データであり、文書１ページ分が表示部１２１０ｅに表示されている。但し、表示データ１３００は文書データでなくてもよい。たとえば地図等の図形データ、３次元図形データであってもよい。一方、電子ペーパ６０ｆの表示部１２１０ｆにはここでは何も表示されていない。
【０１１０】
ここで、電子ペーパ６０ｆを電子ペーパ６０ｅの隣に異方向で配置する（同図下部）。すると電子ペーパ６０ｆの受電部１２２０ｆが給電装置４０からの電力を受けて、電子ペーパ６０ｆの各部が動作を開始する。表示起動部１２２２は、受電部１２２０ｆへの給電開始を検知して表示起動信号を発生する。表示起動信号は、位置判断部１２１２ｆおよび表示制御部１２１４ｆに供給され、位置判断部１２１２ｆでは電子ペーパ６０ｅと電子ペーパ６０ｆとの位置関係が判断される。
【０１１１】
なお、表示起動信号を電子ペーパ６０ｅに送信して、電子ペーパ６０ｅの位置判断部１２１２ｅで電子ペーパ６０ｅと電子ペーパ６０ｆとの位置関係を判断してもよい。あるいは情報処理装置３０の位置関係判断部３６０が位置関係を判断してもよい。
【０１１２】
本例では、電子ペーパ６０ｆを電子ペーパ６０ｅの隣にかつ異方向で配置するから、位置判断部１２１２ｆが判断する表示部１２１０ｅと表示部１２１０ｆとの位置関係は隣接関係かつ異方向関係になる。隣接関係かつ異方向関係であるとの位置関係の情報は、位置判断部１２１２ｆからたとえば位置関係コ―ドとして表示制御部１２１４ｆに送られる。位置関係を取得した表示制御部１２１４ｆは、隣接関係かつ異方向関係であるとの情報に基づき、表示データ１３００の部分データ１３３０を表示部１２１０ｆに拡大して表示する。なお、部分データ１３３０は通信部１２１８ｆを介して電子ペーパ６０ｅあるいは情報処理装置３０から取得できる。
【０１１３】
本例の表示システムによれば、表示部１２１０ｅと表示部１２１０ｆとの位置関係が隣接関係かつ異方向関係であるとの判断に基づき、表示部１２１０ｅに表示されている表示データ１３００の部分データ１３３０を表示部１２１０ｆに拡大して表示できる。この結果、ユーザが電子ペーパ６０ｆを電子ペーパ６０ｅの隣に異方向にして置くだけで表示データ１３００の部分データ１３３０が拡大して表示できるようになり、ユーザの利便性を高めることができる。なお、本例では、電子ペーパ６０ｆを電子ペーパ６０ｅの右側に配置する例を示したが、左側に配置してもよい。
【０１１４】
図１１は、本表示システムにおける他の表示例を示す。ここで示す表示例は、電子ペーパ６０ｅと電子ペーパ６０ｆとが重畳関係にある場合の表示部１２１０ｆへの表示態様を示す。同図において電子ペーパ６０ａ〜６０ｅは、前例と同様に重ねて配置されている。また、同図において上部は電子ペーパ６０ｆを電子ペーパ６０ｅに重ねて配置する前を示しており、下部は電子ペーパ６０ｆを電子ペーパ６０ｅに重ねて配置した後を示す。
【０１１５】
電子ペーパ６０ｆを配置する前において、電子ペーパ６０ｅの表示部１２１０ｅには表示データ１３００が表示されている。本例において表示データ１３００は文書データであり、文書１ページ分が表示部１２１０ｅに表示されている。但し、表示データ１３００は文書データでなくてもよい。たとえば地図等の図形データ、３次元図形データであってもよい。一方、電子ペーパ６０ｆの表示部１２１０ｆにはここでは何も表示されていない。
【０１１６】
ここで、電子ペーパ６０ｆを電子ペーパ６０ｅに重ねて配置する（同図下部）。すると電子ペーパ６０ｆの受電部１２２０ｆが給電装置４０からの電力を受けて、電子ペーパ６０ｆの各部が動作を開始する。表示起動部１２２２は、受電部１２２０ｆへの給電開始を検知して表示起動信号を発生する。表示起動信号は、位置判断部１２１２ｆおよび表示制御部１２１４ｆに供給され、位置判断部１２１２ｆでは電子ペーパ６０ｅと電子ペーパ６０ｆとの位置関係が判断される。
【０１１７】
なお、表示起動信号を電子ペーパ６０ｅに送信して、電子ペーパ６０ｅの位置判断部１２１２ｅで電子ペーパ６０ｅと電子ペーパ６０ｆとの位置関係を判断してもよい。あるいは情報処理装置３０の位置関係判断部３６０が位置関係を判断してもよい。
【０１１８】
本例では、電子ペーパ６０ｆを電子ペーパ６０ｅに重ねて配置するから、位置判断部１２１２ｆが判断する表示部１２１０ｅと表示部１２１０ｆとの位置関係は重畳関係になる。重畳関係であるとの位置関係の情報は、位置判断部１２１２ｆからたとえば位置関係コ―ドとして表示制御部１２１４ｆに送られる。位置関係を取得した表示制御部１２１４ｆは、重畳関係であるとの情報に基づき、表示データ１３００の部分データ１３３０を表示部１２１０ｆに拡大して表示する。なお、部分データ１３３０は通信部１２１８ｆを介して電子ペーパ６０ｅあるいは情報処理装置３０から取得できる。
【０１１９】
本例の表示システムによれば、表示部１２１０ｅと表示部１２１０ｆとの位置関係が重畳関係であるとの判断に基づき、表示部１２１０ｅに表示されている表示データ１３００の部分データ１３３０を表示部１２１０ｆに拡大して表示できる。この結果、ユーザが電子ペーパ６０ｆを電子ペーパ６０ｅに重ねて配置するだけで表示データ１３００の部分データ１３３０が拡大して表示できるようになり、ユーザの利便性を高めることができる。
【０１２０】
また、本例では、表示部１２１０ｆを表示部１２１０ｅに重ねて配置する重畳関係に応じて表示データ１３００の部分データ１３３０を表示部１２１０ｆに拡大して表示する例を示した。しかし、本例は表示部１２１０ｆが表示部１２１０ｅと異方向に配置されるものでもあり、このような異方向関係に基づいて表示データ１３００の部分データ１３３０を表示部１２１０ｆに拡大して表示するものであってもよい。
【０１２１】
図１２は、本表示システムにおける他の表示例を示す。ここで示す表示例は、電子ペーパ６０ｅと電子ペーパ６０ｆとが重畳関係かつ同一方向にある場合の表示部１２１０ｆへの表示態様を示す。同図において電子ペーパ６０ａ〜６０ｅは、前例と同様に重ねて配置されている。また、同図において上部は電子ペーパ６０ｆを電子ペーパ６０ｅに重ねて配置する前を示しており、下部は電子ペーパ６０ｆを電子ペーパ６０ｅに重ねて配置した後を示す。
【０１２２】
電子ペーパ６０ｆを配置する前において、電子ペーパ６０ｅの表示部１２１０ｅには表示データ１３００が表示されている。本例において表示データ１３００は文書データであり、文書１ページ分が表示部１２１０ｅに表示されている。一方、電子ペーパ６０ｆの表示部１２１０ｆにはここでは何も表示されていない。
【０１２３】
ここで、電子ペーパ６０ｆを電子ペーパ６０ｅに重ねてかつ同一方向で配置する（同図下部）。すると電子ペーパ６０ｆの受電部１２２０ｆが給電装置４０からの電力を受けて、電子ペーパ６０ｆの各部が動作を開始する。表示起動部１２２２は、受電部１２２０ｆへの給電開始を検知して表示起動信号を発生する。表示起動信号は、位置判断部１２１２ｆおよび表示制御部１２１４ｆに供給され、位置判断部１２１２ｆでは電子ペーパ６０ｅと電子ペーパ６０ｆとの位置関係が判断される。
【０１２４】
なお、表示起動信号を電子ペーパ６０ｅに送信して、電子ペーパ６０ｅの位置判断部１２１２ｅで電子ペーパ６０ｅと電子ペーパ６０ｆとの位置関係を判断してもよい。あるいは情報処理装置３０の位置関係判断部３６０が位置関係を判断してもよい。
【０１２５】
本例では、電子ペーパ６０ｆを電子ペーパ６０ｅに重ねてかつ同一方向で配置するから、位置判断部１２１２ｆが判断する表示部１２１０ｅと表示部１２１０ｆとの位置関係は重畳関係かつ同一方向関係になる。重畳関係かつ同一方向関係であるとの位置関係の情報は、位置判断部１２１２ｆからたとえば位置関係コ―ドとして表示制御部１２１４ｆに送られる。位置関係を取得した表示制御部１２１４ｆは、重畳関係かつ同一方向関係であるとの情報に基づき、表示データ１３００の隣接文書データである次ページ１３１０を表示部１２１０ｆに表示する。なお、次ページ１３１０は通信部１２１８ｆを介して電子ペーパ６０ｅあるいは情報処理装置３０から取得できる。
【０１２６】
本例の表示システムによれば、表示部１２１０ｅと表示部１２１０ｆとの位置関係が重畳関係かつ同一方向関係であるとの判断に基づき、表示部１２１０ｅに表示されている表示データ１３００の次ページ１３１０を表示部１２１０ｆに表示できる。この結果、ユーザが電子ペーパ６０ｆを電子ペーパ６０ｅに同一方向に重ねて配置するだけで表示データ１３００の次ページ１３１０が表示できるようになり、ユーザの利便性を高めることができる。
【０１２７】
図１３は、本表示システムにおける他の表示例を示す。ここで示す表示例は、図１２の表示例に続けて電子ペーパ６０ｇを異方向でかつ重ねて配置する場合の表示部１２１０ｇへの表示態様を示す。同図において電子ペーパ６０ａ〜６０ｅは、前例と同様に重ねて配置され、電子ペーパ６０ｆは図１２の表示例に従い電子ペーパ６０ｅの上に重ねて配置されている。また、同図において上部は電子ペーパ６０ｇを電子ペーパ６０ｆに重ねて配置する前を示しており、下部は電子ペーパ６０ｇを電子ペーパ６０ｆに重ねて配置した後を示す。
【０１２８】
電子ペーパ６０ｇを配置する前において、電子ペーパ６０ｅの表示部１２１０ｅには表示データ１３００が表示され、電子ペーパ６０ｆの表示部１２１０ｆには表示データ１３００の隣接文書データである次ページ１３１０が表示されている。本例において表示データ１３００は文書データであり、文書１ページ分が表示部１２１０ｅに表示されている。また、次ページ１３１０は文書データであり、文書１ページ分が表示部１２１０ｆに表示されている。一方、電子ペーパ６０ｇの表示部１２１０ｇにはここでは何も表示されていない。
【０１２９】
ここで、電子ペーパ６０ｇを電子ペーパ６０ｆに異方向でかつ重ねて配置する（同図下部）。すると電子ペーパ６０ｇの受電部１２２０ｇが給電装置４０からの電力を受けて、電子ペーパ６０ｇの各部が動作を開始する。表示起動部１２２２は、受電部１２２０ｇへの給電開始を検知して表示起動信号を発生する。表示起動信号は、位置判断部１２１２ｇおよび表示制御部１２１４ｇに供給され、位置判断部１２１２ｇでは電子ペーパ６０ｆと電子ペーパ６０ｇとの位置関係が判断される。
【０１３０】
なお、表示起動信号を電子ペーパ６０ｆに送信して、電子ペーパ６０ｆの位置判断部１２１２ｆで電子ペーパ６０ｆと電子ペーパ６０ｇとの位置関係を判断してもよい。あるいは情報処理装置３０の位置関係判断部３６０が位置関係を判断してもよい。
【０１３１】
本例では、電子ペーパ６０ｇを電子ペーパ６０ｆに異方向でかつ重ねて配置するから、位置判断部１２１２ｇが判断する表示部１２１０ｆと表示部１２１０ｇとの位置関係は重畳関係かつ異方向関係になる。重畳関係かつ異方向関係であるとの位置関係の情報は、位置判断部１２１２ｇからたとえば位置関係コ―ドとして表示制御部１２１４ｇに送られる。位置関係を取得した表示制御部１２１４ｇは、重畳関係かつ異方向関係であるとの情報に基づき、表示データ１３００および表示データ１３００の隣接文書データである次ページ１３１０を表示部１２１０ｇに縮小して表示する。なお、表示データ１３００および次ページ１３１０は通信部１２１８ｇを介して電子ペーパ６０ｅおよび６０ｆあるいは情報処理装置３０から取得できる。
【０１３２】
本例の表示システムによれば、表示部１２１０ｅおよび表示部１２１０ｆと表示部１２１０ｇとの位置関係が重畳関係かつ異方向関係であるとの判断に基づき、表示部１２１０ｅに表示されている表示データ１３００および表示部１２１０ｆに表示されている次ページ１３１０を表示部１２１０ｇに表示できる。この結果、ユーザが電子ペーパ６０ｇを電子ペーパ６０ｅおよび６０ｆに異方向に重ねて配置するだけで表示データ１３００および次ページ１３１０を縮小して表示できるようになり、ユーザの利便性を高めることができる。なお、本例では、表示データ１３００および次ページ１３１０の２ページ分を縮小して表示する例を示したが、３枚またはそれ以上ページを縮小して表示してもよい。
【０１３３】
図１４は、本表示システムにおける他の表示例を示す。ここで示す表示例は、電子ペーパ６０ａ〜電子ペーパ６０ｆを一旦配置して各表示部１２１０に表示をした後、任意の電子ペーパの表示部１２１０に再度表示する場合を例示する。給電装置４０の上部には電子ペーパ６０ａ〜６０ｅが置かれており、電子ペーパ６０ｅの表示部１２１０ｅには表示データ１３００が表示されている。一方、電子ペーパ６０ｆの表示部１２１０ｆには何も表示されていない。このような状態において、電子ペーパ６０ｆを配置する。
【０１３４】
電子ペーパ６０ｆは、電子ペーパ６０ｅに重ねてまたは電子ペーパ６０ｅの方向とは異なる方向で配置する。すなわち、表示部１２１０ｅと表示部１２１０ｆとは重畳関係かつ異方向関係になる。電子ペーパ６０ｆの配置により、給電装置４０から受電すること、各部が始動して位置判断部１２１２ｆによる位置関係の判断および表示制御部１２１４ｆによる表示部１２１０ｆの表示が制御されること等は前記した例と同様であってよい。
【０１３５】
電子ペーパ６０ｆを電子ペーパ６０ｅとは異なる方向で配置することにより、位置判断部１２１２ｆは、表示部１２１０ｅと表示部１２１０ｆとの位置関係が異方向関係であると判断する。表示制御部１２１４ｆは、異方向関係であるとの判断に基づき、表示データ１３００の部分データ１３３０を表示部１２１０ｆに拡大して表示する。なお、表示データ１３００は通信部１２１８ｆを介して電子ペーパ６０ｅあるいは情報処理装置３０から取得できる。
【０１３６】
次に、たとえば電子ペーパ６０ｂを持ち上げ、再度電子ペーパ６０ｂを電子ペーパ６０ｆの表示部１２１０ｆに重ねて、または、表示部１２１０ｆとは異なる方向で配置する。電子ペーパ６０ｂは持ち上げられることにより給電が遮断され、再度配置されることにより給電が再開される。このとき電子ペーパ６０ｂは給電の再開を検知して表示起動信号を生成して、表示処理を起動する。
【０１３７】
すなわちリセット操作と同様の処理をする。この結果、電子ペーパ６０ｂの位置判断部１２１２ｂは、表示部１２１０ｆと表示部１２１０ｂとの位置関係を判断する。電子ペーパ６０ｂの表示制御部１２１４ｂは、重畳関係または異方向関係との判断に応じて、部分データ１３３０の部分データ１３３２を電子ペーパ６０ｂの表示部１２１０ｂに拡大して表示する。なお、部分データ１３３０は通信部１２１８ｂを介して電子ペーパ６０ｆあるいは情報処理装置３０から取得できる。
【０１３８】
本例の表示システムによれば、一旦表示させた電子ペーパ６０ｂをリセットして再度表示を行わせることができる。このとき、電子ペーパ６０ｆの表示部１２１０ｆに表示している部分データ１３３０の上に重ねて、あるいは、異方向に配置して、部分データ１３３０のさらに部分データを拡大して表示できる。このような操作を繰り返せば、ユーザは簡単に拡大した表示データを見ることができる。なお、本例では再表示させる電子ペーパとして６０ｂを例示しているが、他の電子ペーパを同様に再表示させてもよい。
【０１３９】
図１５は、本表示システムにおける他の表示例を示す。ここで示す表示例は、電子ペーパ６０ｅが他の電子ペーパ６０ａ〜６０ｄに対し揚上関係にある場合の表示部１２１０ｅへの表示態様を示す。給電装置４０の上部には電子ペーパ６０ａ〜６０ｄが重ねて置かれており、電子ペーパ６０ｄの表示部１２１０ｄには表示データとして地図データ１３４０が表示されている。このような状態において、電子ペーパ６０ｅを配置する。
【０１４０】
電子ペーパ６０ｅの配置により、給電装置４０から受電すること、各部が始動して位置判断部１２１２ｅによる位置関係の判断および表示制御部１２１４ｅによる表示部１２１０ｅの表示が制御されること等は前記した例と同様であってよい。ただし、本例では、電子ペーパ６０ｅが電子ペーパ６０ｄの隣に配置されることに加えて、電子ペーパ６０ｄの表示面から離れて上部に持ち上げられる揚上関係になること、さらに、揚上関係において電子ペーパ６０ｅが電子ペーパ６０ｄに対して傾けられる位置関係になることが相違する。
【０１４１】
まず、電子ペーパ６０ｅを電子ペーパ６０ｄの隣に配置する場合（この場合の電子ペーパを６０ｅ１と表記し、表示部を１２１０ｅ１と表記する。）、位置判断部１２１２ｅは、表示部１２１０ｄと表示部１２１０ｅとの位置関係は隣接関係であると判断する。表示制御部１２１４ｅは、隣接関係であるとの判断に基づき、地図データ１３２０の隣接データである地図データ１３４２を表示部１２１０ｅ１に表示する。なお、地図データ１３４２は通信部１２１８ｅを介して電子ペーパ６０ｄまたは情報処理装置３０から取得できる。
【０１４２】
次に、電子ペーパ６０ｅを電子ペーパ６０ｄの表示面から離れて上方に持ち上げる場合（この場合の電子ペーパを６０ｅ２と表記し、表示部を１２１０ｅ２と表記する。）、位置判断部１２１２ｅは、表示部１２１０ｄと表示部１２１０ｅとの位置関係は揚上関係であると判断する。表示制御部１２１４ｅは、揚上関係であるとの判断に基づき、地図データ１３４０の部分データである地図データ１３４０の拡大図１３４４を表示部１２１０ｅ２に表示する。
【０１４３】
拡大図１３４４の拡大率は表示部１２１０ｄと表示部１２１０ｅとの離間距離に応じて決定できる。たとえば、離間距離が大きい場合は拡大率を大きく、離間距離が小さい場合には拡大率を小さくできる。また、拡大率は１未満（すなわち縮小表示）にすることもできる。なお、地図データ１３４０は通信部１２１８ｅを介して電子ペーパ６０ｄまたは情報処理装置３０から取得でき、拡大図１３４４は地図データ１３４０から適切に計算できる。
【０１４４】
さらに、前記した揚上関係において、電子ペーパ６０ｅを電子ペーパ６０ｄに対して傾けることができる（この場合の電子ペーパを６０ｅ３と表記し、表示部を１２１０ｅ３と表記する。）。そして、この傾きの角度に応じて表示部１２１０ｅへの表示を制御できる。すなわち、位置判断部１２１２ｅは、表示部１２１０ｄの属する平面と表示部１２１０ｅの属する平面との為す角度を位置関係として判断できる。
【０１４５】
そして表示制御部１２１４ｅは、前記角度に応じて、地図データ１３４０の部分データである拡大図１３４４を立体画像として表示した場合の視線方向または回転角を変更して、視線方向または回転角を変更した地図画像１３４６を表示部１２１０ｅ３に表示する。なお、地図データ１３４０は通信部１２１８ｅを介して電子ペーパ６０ｄまたは情報処理装置３０から取得できる。
【０１４６】
本例の表示システムによれば、表示部１２１０ｄと表示部１２１０ｅとの位置関係が揚上関係である、または、揚上関係において表示部１２１０ｅが表示部１２１０ｄに対して傾いているとの判断に基づき、表示部１２１０ｄに表示されている地図データ１３４０を拡大して、または、視線方向もしくは回転角を変更して表示部１２１０ｅに表示できる。この結果、ユーザは電子ペーパ６０ｅを持ち上げたり、傾けたりするだけで、適切な拡大率あるいは視線方向で立体表示した地図画像を見ることができる。なお、本例では地図データを例示したが、立体画像に対しても本例の表示システムを適用できる。
【０１４７】
これら例に示す表示システムによれば、その表示部１２１０に表示データ等が表示されている複数の電子ペーパ６０に、新たな電子ペーパ６０を加えることにより、隣接文書ページを表示でき、あるいは文書データおよびその部分データを拡大または縮小して表示できる。新たな電子ペーパ６０を付加することによって、ユーザは次々と隣接ページを表示させ、あるいは表示させたページの拡大ページを表示させ、あるいは表示させたページの縮小ページを一つの表示部１２１０に表示できるようになる。
【０１４８】
図１６は、電子ペーパ２０および給電装置４０の機能構成の他例を示す。図１６における電子ペーパ２０は、データ送受信部５００の構成を除き図２の電子ペーパ２０と同様であってよい。また、給電装置４０も図２の給電装置４０と同様であってよい。
【０１４９】
図１６に示す電子ペーパ２０はデータ送受信部５００を備え、データ送受信部５００は受光部５０２および発光部５０４を有する。データ送受信部５００は、電子ペーパ２０に備える位置情報検出部の一例であってよい。発光部５０４は、自己の識別情報を伝送する通信光を第１表示部２００の裏面から発光する。受光部５０２は、自己以外の識別情報を伝送する通信光を第１表示部２００の表面から受光する。そして位置関係判断部３６０は、複数の電子ペーパがそれぞれ有する受光部５０２で受光した通信光で伝送される識別情報から、複数の電子ペーパの相互の位置関係を判断する。
【０１５０】
図１７は、電子ペーパ２０の一部断面を示す。第１表示部２００の表面部材５１０には受光素子５１２を備え、裏面部材５１８には発光素子５１４を備える。表面部材５１０と裏面部材５１８との間には反射板５１６を有する。受光素子５１２および発光素子５１４は、たとえばフォトダイオードおよび発光ダイオードであってよく、受光部５０２および発光部５０４の具体例であってよい。
【０１５１】
表面部材５１０は透明な樹脂等であってよく、表面部材５１０の辺に備えられる受光素子５１２に入射する光を透過する。裏面部材５１８は同様に透明な樹脂等であってよい。ただし裏面部材５１８は発光素子５１４からの光を裏面の全体に渡り拡散させる拡散機能あるいは光ガイド機能を有することが好ましい。
【０１５２】
反射板５１６は発光素子５１４から発せられた光を裏面方向に反射する。つまり、反射板５１６を有することから、発光素子５１４を発した光は表面方向に射出されることがなく裏面方向に射出される。また、受光素子５１２は裏面からの光を受けることなく表面方向からの光を受光する。
【０１５３】
すなわち、発光部５０４は、自己の識別情報に加えて、自己が認識している自己より上に位置する電子ペーパの識別情報を伝送する通信光を表示部の裏面から発光できる。よって、自己の識別情報と自己の上に位置する電子ペーパの識別情報とを、自己より下に位置する電子ペーパに伝達できる。また、受光部５０２は、自己の上に位置する電子ペーパからその電子ペーパの識別情報およびその電子ペーパが認識しているさらに上方に位置する電子ペーパの識別情報を受け取ることができる。そして位置関係判断部３６０は、複数の電子ペーパがそれぞれ有する受光部５０２が受光した通信光が伝送する自己より上に位置する電子ペーパの識別情報から複数の電子ペーパの相互の重なり位置を判断する。
【０１５４】
以上のような識別情報を含む通信光を送受信するデータ送受信部５００を備えることにより、電子ペーパ２０の相互の重なり位置を判断できる。このようにして判断した重なり位置によって電子ペーパの各々に、それが表示すべきデータをデータ送信部３８０が送信できることは前記した通りであってよい。
【０１５５】
また、データ送受信部５００を備える電子ペーパの表示部にデータを表示させた後、これを離散して配置した場合、それぞれの表示部の表示を保持できることも前記の通りであってよい。さらに、前記した重なり位置の判断から電子ペーパがユーザから視認可能な位置にあることを判断できる。具体的には前記した通信光を受光しなかった場合、あるいは、自己より上に位置する電子ペーパの識別情報を判別できない場合である。このような場合、その電子ペーパは重なりの最上位つまりユーザから視認可能な位置に存在すると判断できる。また、ユーザから視認可能な位置に存在する電子ペーパの表示データを編集可能とすることも前記の通りであってよい。
【０１５６】
また、前記した通信光を利用して判断した重なり関係に応じて重なり順に一致させるように表示部に表示データを送信できることも前記の通りであってよい。、重なり位置の判断によって判断したユーザに視認可能な電子ペーパに選択的に電力を供給できることも前記したとおりであってよい。
【０１５７】
図１８は、本実施形態に係る表示システム１０のハードウェア構成の一例を示す。本実施形態に係る表示システム１０は、ホスト・コントローラ１５８２により相互に接続されるＣＰＵ１５０５、ＲＥＭ１５２０、グラフィック・コントローラ１５７５、および表示装置１５８０を有するＣＰＵ周辺部と、入出力コントローラ１５８４によりホスト・コントローラ１５８２に接続される通信インターフェイス１５３０、ハードディスクドライブ１５４０、およびＣＤ−ＲＯＭドライブ１５６０を有する入出力部と、入出力コントローラ１５８４に接続されるＲＯＭ１５１０、フレキシブルディスク・ドライブ１５５０、および入出力チップ１５７０を有するレガシー入出力部とを備える。
【０１５８】
ホスト・コントローラ１５８２は、ＲＥＭ１５２０と、高い転送レートでＲＥＭ１５２０をアクセスするＣＰＵ１５０５およびグラフィック・コントローラ１５７５とを接続する。ＣＰＵ１５０５は、ＲＯＭ１５１０およびＲＥＭ１５２０に格納されたプログラムに基づいて動作して、各部を制御する。グラフィック・コントローラ１５７５は、ＣＰＵ１５０５等がＲＥＭ１５２０内に設けたフレーム・バッファ上に生成する画像データを取得して、表示装置１５８０上に表示させる。これに代えて、グラフィック・コントローラ１５７５は、ＣＰＵ１５０５等が生成する画像データを格納するフレーム・バッファを、内部に含んでもよい。
【０１５９】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、表示システム１０内のＣＰＵ１５０５が使用するプログラムおよびデータを格納する。ＣＤ−ＲＯＭドライブ１５６０は、ＣＤ−ＲＯＭ１５９５からプログラムまたはデータを読み取り、ＲＥＭ１５２０を介してハードディスクドライブ１５４０に提供する。
【０１６０】
また、入出力コントローラ１５８４には、ＲＯＭ１５１０と、フレキシブルディスク・ドライブ１５５０、および入出力チップ１５７０の比較的低速な入出力装置とが接続される。ＲＯＭ１５１０は、表示システム１０が起動時に実行するブート・プログラム、表示システム１０のハードウェアに依存するプログラム等を格納する。フレキシブルディスク・ドライブ１５５０は、フレキシブルディスク１５９０からプログラムまたはデータを読み取り、ＲＥＭ１５２０を介してハードディスクドライブ１５４０に提供する。入出力チップ１５７０は、フレキシブルディスク・ドライブ１５５０、例えばパラレル・ポート、シリアル・ポート、キーボード・ポート、マウス・ポート等を介して各種の入出力装置を接続する。
【０１６１】
ＲＥＭ１５２０を介してハードディスクドライブ１５４０に提供される表示プログラムは、フレキシブルディスク１５９０、ＣＤ−ＲＯＭ１５９５、またはＩＣカード等の記録媒体に格納されて利用者によって提供される。表示プログラムは、記録媒体から読み出され、ＲＥＭ１５２０を介して表示システム１０内のハードディスクドライブ１５４０にインストールされ、ＣＰＵ１５０５において実行される。表示システム１０にインストールされて実行される表示プログラムは、ＣＰＵ１５０５等に働きかけて、表示システム１０を、図１から図６にかけて説明した第１表示部２００、第１表示制御部２１０、第１通信部２２０、格納ユニット２３０、電子ペーパ識別子格納部２３２、データ識別子格納部２３４、受電部２４０、光量検出部２５０、光センサ２５２、第２表示部３００、第２表示制御部３１０、第２通信部３２０、位置特定部３３０、データ取得部３４０、データ編集制御部３５０、位置関係判断部３６０、編集指示取得部３７０、情報入力部３７４、データ送信部３８０、データ格納部３９０、表示順序格納部３９２、給電部４００、給電制御部４１０、および第３通信部４２０として機能させる。
【０１６２】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【図面の簡単な説明】
【０１６３】
【図１】表示システム１０の概要図である。
【図２】電子ペーパ２０および給電装置４０の機能構成を示すブロック図である。
【図３】情報処理装置３０の機能構成を示すブロック図である。
【図４】光量検出部２５０が含む光センサ２５２の配置を示す図である。
【図５】表示システム１０の動作を示す図である。
【図６】給電装置４０を示す図である。
【図７】表示システムの他の例を示す。
【図８】電子ペーパ６０の一例を示す。
【図９】本表示システムにおける表示例を示す。
【図１０】本表示システムにおける他の表示例を示す。
【図１１】本表示システムにおける他の表示例を示す。
【図１２】本表示システムにおける他の表示例を示す。
【図１３】本表示システムにおける他の表示例を示す。
【図１４】本表示システムにおける他の表示例を示す。
【図１５】本表示システムにおける他の表示例を示す。
【図１６】電子ペーパ２０および給電装置４０の機能構成の他例を示す。
【図１７】電子ペーパ２０の一部断面を示す。
【図１８】表示システム１０のハードウェア構成を示すブロック図である。
【符号の説明】
【０１６４】
１０  表示システム
２０、２１、２２、２３、２４、２５、６０、６０ａ〜６０ｇ  電子ペーパ
３０  情報処理装置
４０  給電装置
５０  机
５２  本棚
２００  第１表示部
２１０  第１表示制御部
２２０  第１通信部
２３０  格納ユニット
２３２  電子ペーパ識別子格納部
２３４  データ識別子格納部
２４０  受電部
２５０  光量検出部
２５２  光センサ
３００  第２表示部
３０２  モニタ
３１０  第２表示制御部
３２０  第２通信部
３２２  アンテナ
３３０  位置特定部
３４０  データ取得部
３５０  データ編集制御部
３６０  位置関係判断部
３７０  編集指示取得部
３７４  情報入力部
３７６  キーボード
３７８  マウス
３８０  データ送信部
３９０  データ格納部
３９２  表示順序格納部
４００  給電部
４０２  領域
４１０  給電制御部
４２０  第３通信部
５００  データ送受信部
５０２  受光部
５０４  発光部
５１０  表面部材
５１２  受光素子
５１４  発光素子
５１６  反射板
５１８  裏面部材
１２１０、１２１０ａ〜１２１０ｇ、１２１０ｅ１〜１２１０ｅ３  表示部
１２１２、１２１２ａ〜１２１２ｇ  位置判断部
１２１４、１２１４ａ〜１２１４ｇ  表示制御部
１２１６  メモリ部
１２１８、１２１８ａ〜１２１８ｇ  通信部
１２２０、１２２０ｆ、１２２０ｇ  受電部
１２２２  表示起動部
１２２４  データタイプ判断部
１２３０、１２３０ａ〜１２３０ｇ  信号送受信部
１２３２  光センサ
１３００  表示データ
１３１０  次ページ
１３２０  地図データ
１３３０  部分データ
１３３２  部分データ
１３４０  地図データ
１３４２  地図データ
１３４４  拡大図
１３４６  地図画像
１５０５  ＣＰＵ
１５１０  ＲＯＭ
１５２０  ＲＥＭ
１５３０  通信インターフェイス
１５４０  ハードディスクドライブ
１５５０  フレキシブルディスク・ドライブ
１５６０  ＣＤ−ＲＯＭドライブ
１５７０  入出力チップ
１５７５  グラフィック・コントローラ
１５８０  表示装置
１５８２  ホスト・コントローラ
１５８４  入出力コントローラ
１５９０  フレキシブルディスク
１５９５  ＣＤ−ＲＯＭ
２０００、２１００、２２００  データ識別子
【図１】
2008090269.tif 000003
【図２】
2008090269.tif 000004
【図３】
2008090269.tif 000005
【図４】
2008090269.tif 000006
【図５】
2008090269.tif 000007
【図６】
2008090269.tif 000008
【図７】
2008090269.tif 000009
【図８】
2008090269.tif 000010
【図９】
2008090269.tif 000011
【図１０】
2008090269.tif 000012
【図１１】
2008090269.tif 000013
【図１２】
2008090269.tif 000014
【図１３】
2008090269.tif 000015
【図１４】
2008090269.tif 000016
【図１５】
2008090269.tif 000017
【図１６】
2008090269.tif 000018
【図１７】
2008090269.tif 000019
【図１８】
2008090269.tif 000020